(57)【要約】本発明のいくつかの実施形態では、分散型アンテナシステムにおける資源使用を管理するためのシステムが提供される。システムは、ワイヤレス無線信号を送受信する複数のデジタル遠隔ユニット（ＤＲＵ）と、複数のセクタであってそれぞれがワイヤレス無線信号を送受信する複数のセクタと、複数の相互接続されたデジタルアクセスユニット（ＤＡＵ）であってそれぞれが光信号を介してＤＲＵのうちの少なくとも１つと通信し、それぞれがセクタのうちの少なくとも１つに結合される複数の相互接続されたＤＡＵと、を具備する。【選択図】  図１
2014534783.tif 000002
【特許請求の範囲】
【請求項１】
分散型アンテナシステムにおける資源使用を管理するためのシステムであって、
ワイヤレス無線信号を送受信する複数のデジタル遠隔ユニット（ＤＲＵ）と、
複数のセクタであって、それぞれがワイヤレス無線信号を送受信する複数のセクタと、
複数の相互接続されたデジタルアクセスユニット（ＤＡＵ）であって、それぞれが光信号を介して前記ＤＲＵのうちの少なくとも１つと通信し、それぞれが前記セクタのうちの少なくとも１つに結合される複数の相互接続されたＤＡＵと、
を具備するシステム。
【請求項２】
前記複数のＤＲＵのうちの１つから前記複数のセクタのうちの１つへの信号の電力と、前記複数のＤＲＵのうちの前記同じ１つから前記複数のセクタのうちの別の１つへの前記同じ信号の電力と、を決定するためのアルゴリズムをさらに具備する、請求項１に記載のシステム。
【請求項３】
前記アルゴリズムが非線形である、請求項２に記載のシステム。
【請求項４】
前記セクタのうちの前記少なくとも２つが別々のキャリアに関連付けられ、前記複数のＤＲＵの各ＤＲＵに供給される各キャリアの電力が独立して制御される、請求項２に記載のシステム。
【請求項５】
前記ＤＲＵが、複数のＤＡＵにループ状に接続される、請求項１に記載のシステム。
【請求項６】
単一ＤＡＵポートが、複数の前記セクタに結合される、請求項１に記載のシステム。
【請求項７】
前記複数のＤＡＵの間で信号をルーティングするサーバをさらに具備する、請求項１に記載のシステム。
【請求項８】
前記複数のセクタが、１つの基地送受信局からの複数のセクタを備える、請求項１に記載のシステム。
【請求項９】
前記複数のＤＡＵのそれぞれが、光ファイバ、イーサネットケーブル、マイクロ波見通し線リンク、ワイヤレスリンク、又は衛星リンクのうちの少なくとも１つを介して信号を送受信することによって、前記ＤＲＵのうちの前記少なくとも１つと通信する、請求項１に記載のシステム。
【請求項１０】
前記複数のＤＡＵのそれぞれが、前記少なくとも１つのセクタから受信した無線信号を光信号に変換するようにさらに構成される、請求項１に記載のシステム。
【請求項１１】
前記ＤＡＵのそれぞれが、前記少なくとも１つのセクタと同一場所に配置される、請求項１に記載のシステム。
【請求項１２】
前記複数のＤＡＵのそれぞれが、複数のＤＲＵに接続される、請求項１に記載のシステム。
【請求項１３】
前記ＤＲＵのうちの少なくともいくつかが、デイジーチェーン構成で接続される、請求項１に記載のシステム。
【請求項１４】
前記ＤＲＵが、前記ＤＡＵにスター構成で接続される、請求項１に記載のシステム。
【請求項１５】
前記システムが、前記複数のＤＲＵのそれぞれについてのセクタ割当てを備える動的データベースをさらに具備し、前記データベースが、前記複数のＤＡＵによってアクセス可能である、請求項１に記載のシステム。
【請求項１６】
分散型アンテナシステムにおける資源使用を管理するための方法であって、
デジタル遠隔ユニット（ＤＲＵ）を、複数のセクタのうちの第１のセクタに割り当てるステップと、
ＤＲＵから、第１の光信号を第１のデジタルアクセスユニット（ＤＡＵ）で受信するステップと、
前記第１の光信号を第１の無線信号に変換するステップと、
前記第１の無線信号を前記第１のセクタに伝送するステップと、
前記ＤＲＵを、前記複数のセクタのうちの第２のセクタに再割り当てするステップであり、前記第２のセクタが前記第１のセクタと異なる、ステップと、
前記ＤＲＵから、第２の光信号を前記第１のＤＡＵで受信するステップと、
前記第２の光信号を前記第１のＤＡＵから第２のＤＡＵに伝送するステップと、
前記第２の光信号を第２の無線信号に変換するステップと、
前記第２の無線信号を前記第２のセクタに伝送するステップと
を含む方法。
【請求項１７】
前記再割当てが、ネットワークのカバレッジの一部分におけるワイヤレスネットワークの実際の又は予測された使用増加に少なくとも部分的に基づく、請求項１６に記載の方法。
【請求項１８】
前記割当てをデータベースに格納するステップと、
前記再割当てを含むように前記データベースを更新するステップと、
をさらに含む、請求項１６に記載の方法。
【請求項１９】
前記分散型アンテナシステムのハードウェアアーキテクチャが、前記割当てと前記再割当てとの間で修正されない、請求項１６に記載の方法。
【請求項２０】
分散型アンテナシステムにおける資源使用を管理するための方法であって、
無線信号を受信するステップと、
前記信号の少なくとも一部分を復号するステップと、
前記復号された信号に基づいて、複数のデジタル遠隔ユニット（ＤＲＵ）のうちから発信元ＤＲＵを識別するステップと、
前記信号をデジタル信号に変換するステップと、
前記識別された発信元ＤＲＵに基づいて、複数のセクタから部分集合の受信セクタを決定するステップと、
前記デジタル信号を前記部分集合の受信セクタに伝送するステップと、
を含む方法。
【請求項２１】
前記デジタル信号を前記部分集合の受信セクタに伝送するステップが、第１のデジタルアクセスユニット（ＤＡＵ）によって実行され、前記デジタル信号を第２のＤＡＵに伝送するサブステップを含む、請求項２０に記載の方法。
【請求項２２】
前記部分集合のセクタが１つのセクタを含む、請求項２０に記載の方法。
【請求項２３】
前記部分集合の受信セクタが、ネットワーク使用における動的な地理的不一致に少なくとも部分的に基づいて動的ＤＲＵ−セクタ割当てデータベースを少なくとも部分的に使用することによって決定される、請求項２０に記載の方法。
【請求項２４】
複数のコンピュータ可読命令を具備する非一時的コンピュータ可読記憶媒体であって、前記複数の命令が、前記コンピュータ可読記憶媒体に有形に具現化され、１つ又は複数のデータプロセッサによって実行されたとき、ワイヤレスネットワーク信号のルーティングを実現し、前記複数の命令は、
前記データプロセッサに、デジタル信号を復号させる命令と、
前記データプロセッサに、前記復号された信号に基づいてデジタル遠隔ユニット（ＤＲＵ）を識別させる命令と、
前記データプロセッサに、前記デジタル信号を無線周波数信号に変換させる命令と、
前記データプロセッサに、前記ＤＲＵを１つ又は複数の基地送受信局セクタと対にする割当てを動的に決定させる命令であり、前記割当てが、ネットワーク使用における動的な地理的不一致に少なくとも部分的に基づく、命令と、
前記データプロセッサに、前記デジタル信号を前記１つ又は複数の割り当てられたセクタへ伝送させる命令と、
を備える、非一時的コンピュータ可読記憶媒体。
【請求項２５】
分散型アンテナシステムにおいて信号をルーティングするためのシステムであって、
複数のデジタルアクセスユニット（ＤＡＵ）であり、互いに結合され、前記複数のＤＡＵの間で信号をルーティングするように動作する複数のＤＡＵと、
複数のデジタル遠隔ユニット（ＤＲＵ）であり、前記複数のＤＡＵに結合され、ＤＲＵとＤＡＵとの間で信号を移送するように動作する複数のＤＲＵと、
複数の基地送受信局（ＢＴＳ）と、
複数の基地送受信局セクタ無線周波数接続であって、前記複数のＤＡＵに結合され、前記複数のＤＡＵと前記複数の基地送受信局セクタ無線周波数接続との間で信号をルーティングするように動作する複数の基地送受信局セクタ無線周波数接続と
１つ又は複数のルーティングテーブルと、
を具備するシステム。
【請求項２６】
前記複数のＤＲＵがさらに、互いに結合され、前記複数のＤＲＵの間で信号をルーティングするように動作する、請求項２５に記載のシステム。
【請求項２７】
前記複数のＤＡＵが、イーサネットケーブル、光ファイバ、マイクロ波見通し線リンク、ワイヤレスリンク、又は衛星リンクのうちの少なくとも１つを介して結合される、請求項２５に記載のシステム。
【請求項２８】
前記複数のＤＡＵが、イーサネットケーブル、光ファイバ、マイクロ波見通し線リンク、ワイヤレスリンク、又は衛星リンクのうちの少なくとも１つを介して、前記複数のＤＲＵと結合される、請求項２５に記載のシステム。
【請求項２９】
前記ＤＲＵが、デイジーチェーン構成で接続される、請求項２５に記載のシステム。
【請求項３０】
前記ＤＲＵが、前記ＤＡＵにスター構成で接続される、請求項２５に記載のシステム。
【請求項３１】
前記ＤＡＵが、イーサネットケーブル、光ファイバ、マイクロ波見通し線リンク、ワイヤレスリンク、又は衛星リンクのうちの少なくとも１つを介して、前記ＢＴＳに接続される、請求項２５に記載のシステム。
【請求項３２】
前記ＤＲＵが、複数のＤＡＵにループ状に接続される、請求項２５に記載のシステム。
【請求項３３】
単一ＤＡＵポートが複数の基地送受信局に結合される、請求項２５に記載のシステム。
【請求項３４】
複数のデジタルアクセスユニット（ＤＡＵ）、複数のデジタル遠隔ユニット（ＤＲＵ）、複数の基地送受信局（ＢＴＳ）、及び複数の基地送受信局セクタ無線周波数接続を含む分散型アンテナシステムにおいて、信号をルーティングするための方法であって、
前記ＤＲＵと前記ＤＡＵとの間で信号を移送するステップと、
前記ＤＡＵの１つ又は複数のピアポートを使用してＤＡＵの間で前記信号をルーティングするステップと、
ＤＡＵと前記複数のＢＴＳセクタ無線周波数ポート接続との間で前記信号をルーティングするステップと、
を含む方法。
【請求項３５】
前記ＤＲＵと前記ＤＡＵの間で前記信号を移送する前に、ＤＲＵのデイジーチェーン間で前記信号をルーティングするステップをさらに含む、請求項３４に記載の方法。
【請求項３６】
ルーティングテーブルを用意するステップと、
前記ルーティングテーブル内の併合ブロックを使用して、前記ＤＡＵの入力から前記ＤＡＵの出力へ信号をルーティングするステップと、
をさらに含む、請求項３４に記載の方法。
【請求項３７】
前記ルーティングテーブルが前記ＤＡＵ内に提供される、請求項３６に記載の方法。
【請求項３８】
ルーティングテーブルを用意するステップと、
前記ルーティングテーブル内の併合ブロックを使用して、前記ＤＲＵの入力から前記ＤＲＵの出力へ信号をルーティングするステップと、
をさらに含む、請求項３４に記載の方法。
【請求項３９】
前記ルーティングテーブルが前記ＤＲＵ内に提供される、請求項３８に記載の方法。
【請求項４０】
各ＤＲＵにおける各キャリアの電力レベルが独立して制御される、請求項３４に記載の方法。
【発明の詳細な説明】
【関連出願の相互参照】
【０００１】
本出願は、２０１１年１１月７日出願の米国特許出願第６１５５６６８５号、及び２０１１年１１月７日出願の米国特許出願第６１５５６６８９号の利益及び優先権を主張する。これらの各出願は、すべての目的でその全体が参照により本明細書に組み込まれる。
【背景】
【０００２】
通信ネットワークは、ある場所から別の場所に情報を搬送するための手段である。この情報は、デジタルデータ、音声、映像、テキスト、図形、データ、手話言語、又は他の形態でありうる。通信ネットワークを確立し維持することは、人類最古の活動の１つであり、先史時代の叫び声及びドラムの信号から、文字メッセージ、信号旗、狼煙、発煙信号、信号鏡、回光通信機、手提げ燈、電報、ラジオ、電話、テレビ、マイクロ波信号、接続されたコンピュータ、及びインターネットにまでわたる。通信ネットワークの発展にかかわらず、顧客は、現在のサービスより信頼できる通信能力を実現する新しいサービスの発展を求めている。
【概要】
【０００３】
本発明の実施形態は、通信ネットワークに関する。より詳細には、本発明の実施形態は、仮想分散型アンテナシステムの用意及び動作に関する方法及びシステムを提供する。本発明は、単に例として、分散型アンテナシステムに適用されている。本明細書に記載の方法及びシステムは、種々の通信規格を利用するシステムを含む様々な通信システムに適用することができる。
【０００４】
本発明のいくつかの実施形態では、固定された物理的アーキテクチャに関わらず資源割振りを修正できるようなネットワーク資源の動的割振りに関する。この目的は、例えば、分散型アンテナシステム（ＤＡＳ）に基づき、（ソフトウェア構成可能無線（ＳＣＲ）と呼ばれることもある）複数のソフトウェア無線（ＳＤＲ）を使用することによって達成することができる。各ＤＡＳは、複数のセクタを含む中央基地局から資源（例えば、ＲＦ搬送波、ロングタームエボリューション資源ブロック、符号分割多元接続符号、又は時分割多元接続時間スロット）を受け取り、複数のデジタル遠隔ユニット（ＤＲＵ）に資源を分配することができる。各ＤＲＵは、信号を受送信するアンテナとして機能し、それにより、ネットワークカバレッジを、物理的ＤＲＵを取り囲む局所的な地理的領域にもたらすことができる。ＤＡＳは、例えば、光ファイバリンクを介して、基地局及び複数のＤＲＵに物理的に結合することができる。このように、１つの基地局によって提供される資源が、複数のＤＲＵに分配されることが可能であり、それによって、より広い地理的領域にわたってカバレッジがもたらされる。
【０００５】
ＤＡＳは、（例えば、別の光ファイバリンクを介して）他の１つ又は複数のＤＡＳに結合することができる。したがって、ＤＡＳは、（１）別の（セクタとも呼ばれる場合がある）基地局に関連付けられた資源の一部を、ＤＡＳに物理的に結合されたＤＲＵに割り振ること、及び／又は、（２）ＤＡＳに物理的に結合されたセクタからの資源を、別のＤＡＳに物理的に結合されたＤＲＵにサービスするように割り振ることもできる。これにより、システムが、（例えば、装置使用における地理的及び時間的パターンに応じて）複数のセクタからＤＲＵのネットワークへ資源を動的に割り振ることが可能になり、したがって、システムの効率が向上し、所望の容量及び処理量の目標、及び／又はワイヤレス加入者の要求を満たすことができる。
【０００６】
本発明のいくつかの実施形態では、分散型アンテナシステムにおける資源使用を管理するためのシステムが提供される。本システムは、ワイヤレス無線信号を送受信する複数のデジタル遠隔ユニット（ＤＲＵ）と、複数のセクタであってそれぞれがワイヤレス無線信号を送受信する複数のセクタと、複数の相互接続されたデジタルアクセスユニット（Ｄｉｇｉｔａｌ  Ａｃｃｅｓｓ  Ｕｎｉｔ：ＤＡＵ）であって、それぞれが光信号を介してＤＲＵのうちの少なくとも１つと通信し、それぞれがセクタのうちの少なくとも１つに結合される複数の相互接続されたＤＡＵと、を具備することができる。
【０００７】
本システムは、複数のＤＲＵのうちの１つから複数のセクタのうちの１つへの信号の電力と、複数のＤＲＵのうちの同じ１つから複数のセクタのうちの別の１つへの同じ信号の電力とを決定するためのアルゴリズムをさらに具備することができる。セクタのうちの上記少なくとも２つが別々のキャリアに関連付けられてもよく、複数のＤＲＵの各ＤＲＵに供給される各キャリアの電力が独立して制御されるＤＲＵが、複数のＤＡＵにループ状に接続されてもよい。単一ＤＡＵポートが、複数のセクタに結合されてもよい。本システムは、複数のＤＡＵの間で信号をルーティングするサーバをさらに具備することができる。複数のセクタは、１つの基地送受信局からの複数のセクタを含んでもよい。複数のＤＡＵのそれぞれが、光ファイバ、イーサネットケーブル、マイクロ波見通し線リンク（ｍｉｃｒｏｗａｖｅ  ｌｉｎｅ  ｏｆ  ｓｉｇｈｔ  ｌｉｎｋ）、ワイヤレスリンク、又は衛星リンクのうちの少なくとも１つを介して信号を送受信することによって、ＤＲＵのうちの少なくとも１つと通信するように構成されてもよい。複数のＤＡＵのそれぞれが、少なくとも１つのセクタから受信した無線信号を光信号に変換するようにさらに構成されてもよい。ＤＡＵのそれぞれが、少なくとも１つのセクタと同一場所に配置されてもよい。複数のＤＡＵのそれぞれが、複数のＤＲＵに接続されてもよい。ＤＲＵのうちの少なくともいくつかが、デイジーチェーン構成で接続されてもよい。ＤＲＵは、ＤＡＵにスター構成で接続されてもよい。本システムは、複数のＤＲＵのそれぞれについてのセクタ割当てを備える動的データベースをさらに具備してもよく、データベースは、複数のＤＡＵによってアクセス可能である。
【０００８】
本発明のいくつかの実施形態では、分散型アンテナシステムにおける資源使用を管理するための方法が提供される。本方法は、デジタル遠隔ユニット（ＤＲＵ）を、複数のセクタのうちの第１のセクタに割り当てるステップと、ＤＲＵから、第１の光信号を第１のデジタルアクセスユニット（ＤＡＵ）で受信するステップと、第１の光信号を第１の無線信号に変換するステップと、第１の無線信号を第１のセクタに伝送するステップと、ＤＲＵを、複数のセクタのうちの第２のセクタに再割り当てするステップであり、第２のセクタが第１のセクタと異なる、ステップと、ＤＲＵから、第２の光信号を第１のＤＡＵで受信するステップと、第２の光信号を第１のＤＡＵから第２のＤＡＵに伝送するステップと、第２の光信号を第２の無線信号に変換するステップと、第２の無線信号を第２のセクタに伝送するステップとを含むことができる。再割当てが、ネットワークのカバレッジの一部分におけるワイヤレスネットワークの実際の又は予測された使用増加に少なくとも部分的に基づいてもよい。本方法は、割当てをデータベースに格納するステップと、再割当てを含むようにデータベースを更新するステップとをさらに含むことができる。いくつかの例では、分散型アンテナシステムのハードウェアアーキテクチャが、割当てと再割当ての間で修正されない。
【０００９】
本発明のいくつかの実施形態では、分散型アンテナシステムにおける資源使用を管理するための方法が提供される。本方法は、無線信号を受信するステップと、信号の少なくとも一部分を復号するステップと、復号された信号に基づいて、複数のデジタル遠隔ユニット（ＤＲＵ）のうちから発信元ＤＲＵを識別するステップと、信号をデジタル信号に変換するステップと、識別された発信元ＤＲＵに基づいて、複数のセクタから部分集合の受信セクタを決定するステップと、デジタル信号を部分集合の受信セクタに伝送するステップとを含むことができる。デジタル信号を部分集合の受信セクタに伝送するステップは、第１のデジタルアクセスユニット（ＤＡＵ）によって実行されてもよく、このステップは、ＤＳＬ信号を第２のＤＡＵに伝送するサブステップを含む。部分集合のセクタは、１つのセクタから成ること、及び／又は１つのセクタを含むことができる。部分集合の受信セクタは、ネットワーク使用における動的な地理的不一致に少なくとも部分的に基づいて動的ＤＲＵ−セクタ割当てデータベースを少なくとも部分的に使用することによって決定されてもよい。
【００１０】
本発明のいくつかの実施形態では、非一時的コンピュータ可読記憶媒体が提供される。コンピュータ可読記憶媒体は、コンピュータ可読記憶媒体に有形に具現化された複数のコンピュータ可読命令を具備することができ、複数のコンピュータ可読命令は、１つ又は複数のデータプロセッサに実行されたとき、ワイヤレスネットワーク信号のルーティングを実現する。複数の命令は、データプロセッサに、デジタル信号を復号させる命令と、データプロセッサに、復号された信号に基づいてデジタル遠隔ユニット（ＤＲＵ）を識別させる命令と、データプロセッサに、デジタル信号を無線周波数信号に変換させる命令と、データプロセッサに、ＤＲＵを１つ又は複数の基地送受信局セクタと対にする割当てを動的に決定させる命令であり、割当てが、ネットワーク使用における動的な地理的不一致に少なくとも部分的に基づく、命令と、データプロセッサに、デジタル信号を１つ又は複数の割り当てられたセクタへ伝送させる命令とを備えることができる。
【００１１】
本発明の一実施形態によれば、分散型アンテナシステムにおいて信号をルーティングするためのシステムが提供される。本システムは、複数のデジタルアクセスユニット（ＤＡＵ）を備える。複数のＤＡＵは、互いに結合され、複数のＤＡＵの間で信号をルーティングするように動作する。本システムは、複数のデジタル遠隔ユニット（ＤＲＵ）であり、複数のＤＡＵに結合され、ＤＲＵとＤＡＵの間で信号を移送するように動作する複数のＤＲＵも備える。本システムは、複数の基地送受信局（ＢＴＳ）と、複数の基地送受信局セクタＲＦ（無線周波数）接続であって、複数のＤＡＵに結合され、複数のＤＡＵと複数の基地送受信局セクタ無線ＲＦ接続の間で信号をルーティングするように動作する複数の基地送受信局セクタ無線ＲＦ接続と、１つ又は複数のルーティングテーブルとをさらに備える。
【００１２】
本発明の別の実施形態によれば、複数のデジタルアクセスユニット（ＤＡＵ）、複数のデジタル遠隔ユニット（ＤＲＵ）、複数の基地送受信局（ＢＴＳ）、及び複数の基地送受信局セクタＲＦ接続を含む分散型アンテナシステムにおいて、信号をルーティングするための方法が提供される。本方法は、ＤＲＵとＤＡＵの間で信号を移送するステップと、ＤＡＵの１つ又は複数のピアポートを使用してＤＡＵの間で信号をルーティングするステップとを含む。本方法は、ＤＡＵと複数のＢＴＳセクタ無線周波数ポート接続の間で信号をルーティングするステップも含む。
【００１３】
本発明によって、従来の技術を超える数多くの利点が達成される。例えば、本発明の実施形態では、ネットワークが、地理的に移動可能なユーザ局に効率的に応答することが可能になる。例えば、ユーザ達が昼食時間にカフェテリアに集中しているが１日の他の時間帯ではそうでない場合、ユーザがその場所に実際にいる又はその場所にいると予測される期間だけその領域に供せられるように、いくらかの資源を割り振ることができる。したがって、ネットワーク事業者は、夕方にカフェテリアにカバレッジをもたらするために資源を浪費する必要がなく、昼食時間にカフェテリアに十分なカバレッジを形成できずにユーザを苛立たせる必要もない。むしろ、資源が柔軟に管理され制御されるので、ネットワークの効率、使用状況、及び全体的性能を改善することができる。さらに、この予測可能な効率性により、任意の所望の送受信機に追加の資源を必要に応じて提供することができるため、ネットワーク事業者は、送受信機間の物理的距離を増大させることができる。したがって、地理的なカバレッジの総面積を増大することができる。さらに、特化された用途及び拡張、例えば、柔軟なサイマルキャスト（ｆｌｅｘｉｂｌｅ  ｓｉｍｕｌｃａｓｔ）、自動トラフィック負荷平衡、ネットワーク及び無線資源最適化、ネットワーク較正、自律的／支援されたコミッショニング（ａｕｔｏｎｏｍｏｕｓ／ａｓｓｉｓｔｅｄ  ｃｏｍｍｉｓｓｉｏｎｉｎｇ）、キャリアプール（ｃａｒｒｉｅｒ  ｐｏｏｌｉｎｇ）、自動周波数選択、無線周波数キャリア配置、トラフィック監視、及びトラフィックタグ付けなどが可能にされうる。また、複数の事業者、マルチモード無線機（変調非依存）、及び事業者当たりの複数周波数帯域にサービスするように実施形態を実装して、事業者のワイヤレスネットワークの効率及びトラフィック容量を増大することもできる。
【００１４】
多くの利点及び特徴を伴う本発明の上記及び他の実施形態は、以下の文及び添付の図面と併せてより詳細に説明される。
【図面の簡単な説明】
【００１５】
【図１】本発明の一実施形態による、地理的領域にカバレッジをもたらすワイヤレスネットワークシステムを示す高レベル概略図である。
【図２】本発明の一実施形態による、相互接続されたＤＡＵを備え、地理的領域にカバレッジをもたらすワイヤレスネットワークシステムを示す高レベル概略図である。
【図３】本発明の別の実施形態による、相互接続されたＤＡＵを備え、地理的領域にカバレッジをもたらす、ワイヤレスネットワークシステムを示す高レベル概略図である。
【図４】本発明の一実施形態による、相互接続されたＤＡＵ及び複数の基地局ホテルを備え、地理的領域にカバレッジをもたらす、ワイヤレスネットワークシステムを示す高レベル概略図である。
【図５】本発明の一実施形態による、ネットワーク資源を割り振る方法を示す高レベルフローチャートである。
【図６】本発明の一実施形態による、ＤＲＵ信号をルーティングする方法を示す高レベルフローチャートである。
【図７】本発明の別の実施形態による、ＤＲＵ信号をルーティングする方法を示す高レベルフローチャートである。
【図８】本発明の一実施形態による、セクタ信号をルーティングする方法を示す高レベルフローチャートである。
【図９】本発明の別の実施形態による、セクタ信号をルーティングする方法を示す高レベルフローチャートである。
【図１０】本発明の一実施形態による、連続するＤＲＵ−セクタ割当て間を移行する方法を示す高レベルフローチャートである。
【図１１】本発明の一実施形態による、連続するＤＲＵ−セクタ割当て間を移行するワイヤレスネットワークシステムを示す高レベル概略図である。
【図１２】本発明の一実施形態によるＤＡＵを示す高レベル概略図である。
【図１３】本発明の一実施形態によるＤＲＵを示す高レベル概略図である。
【図１４】本発明の一実施形態による、複数のローカルルータが複数の遠隔ルータと相互接続される一般的トポロジを示す図である。
【図１５】本発明の一実施形態による、ＬＡＮとピア（ＰＥＥＲ）ポートの間の光相互接続のためのデータフレームの直列化の実施形態を示す図である。
【図１６】本発明の一実施形態による、ダウンリンク信号のためのローカルルータテーブルの実施形態を示す図である。
【図１７】本発明の一実施形態による、アップリンク信号のためのローカルルータテーブルの実施形態を示す図である。
【図１８】本発明の一実施形態による、ダウンリンク信号のための遠隔ルータテーブルの実施形態を示す図である。
【図１９】本発明の一実施形態による、アップリンク信号のための遠隔ルータテーブルの実施形態を示す図である。
【図２０】本発明の一実施形態による、ＤＡＵ及びＤＲＵのネットワーク上でダウンリンク信号をルーティングする３つの例を示す図である。
【図２１】本発明の一実施形態による、ＤＡＵ及びＤＲＵのネットワーク上でアップリンク信号をルーティングする３つの例を示す図である。
【図２２】本発明の一実施形態によるコンピュータシステムを示す高レベル概略図である。
【詳細な説明】
【００１６】
ワイヤレス及び移動通信ネットワーク事業者は、高データトラフィック成長率を効果的に管理するネットワークを構築するという継続的な課題に直面している。顧客満足を保証するために、ネットワーク事業者は、その顧客が自身の装置を使用できることを期待するたいていの場所において利用可能で機能するネットワークを提供しようと試みる。これは、ユーザがどこでどのようにユーザの装置を使用しようと希望するかは予測不可能な性質であることを前提とすると、どのように資源を地理的に割り振るかを決定することは難しく、困難な作業である。
【００１７】
ネットワーク資源の割振りは、ユーザの移動性及び不確実性によって複雑になる。例えば、オフィスビル内でワイヤレスネットワーク資源を効果的に割り振るようにネットワークを構成すると、従業員が昼食時間に彼らの職場から移動してカフェテリアに集まる場合、（例えば、利用可能なワイヤレス容量及びデータ処理量に関して）問題が生じることがある。勤務時間における効率的な資源割振りにより、昼食時間中のユーザに提供するカバレッジが貧弱になるおそれがある。様々な時間帯及び異なる曜日における複数のワイヤレスネットワークアンテナ位置でのワイヤレス加入者負荷の変動に対応するために、いくつかの候補の従来の手法がある。
【００１８】
１つの手法は、施設全体に多数の低電力大容量の基地局を展開することである。基地局の数量は、各基地局のカバレッジ、及びカバーすべき全空間に基づいて決定される。これらの基地局のそれぞれは、１日の労働時間及び１週間の労働時間中に発生する最大加入者負荷に対応するために十分な無線資源、すなわち容量及び広帯域データ処理量を備える。この手法は、一般にワイヤレス加入者に高いサービス品質をもたらすが、この手法の顕著な欠点は、基地局の容量の多くが、大半の時間は無駄にされていることである。通常の屋内ワイヤレスネットワークの展開には、基地局ごとに加入者当たりで評価される資本費及び運転費を伴うため、所与の企業施設に対する一般に高い総ライフサイクル費用は、最適からは程遠い。
【００１９】
第２の候補の手法は、分散型アンテナシステム（ＤＡＳ）を、ＤＡＳ専用の基地局の集中化されたグループとともに展開することを含む。従来のＤＡＳ展開は、２つのカテゴリのいずれかに当てはまる。第１のタイプのＤＡＳは「固定」されており、システム構成が、時間帯又は他の使用状況に関する情報に基づいて変化しない。ＤＡＳに関連付けられた遠隔ユニットは、基地局無線資源の特定のブロックが、各小グループのＤＡＳ遠隔ユニットにサービスするのに十分であると考えられるように、設計プロセス中に設定される。この手法の顕著な欠点は、ほとんどの企業が、企業内の様々なスタッフのグループの再配置及び再編成を経験すると思われることである。したがって、初期のＤＡＳの設定がときどき変更される必要があり、ワイヤレスネットワークに関する適切な水準の専門知識を有する直接的スタッフ及び契約資源を追加的に展開することを要する可能性が高い。
【００２０】
第２のタイプのＤＡＳは、任意の特定の集中基地局に関連付けられたＤＡＳ遠隔ユニットの位置及び数量を手動で変更することを可能にする、ある種のネットワークスイッチを備える。この手法は、企業の必要性又は時間帯に基づく動的なＤＡＳ再構成に対応するように見えるが、ネットワークのリアルタイム管理を実現するために、しばしば追加のスタッフ資源を割り当てる必要があることが示唆される。別の問題は、各曜日の同じ時間帯に、同じＤＡＳ遠隔ユニット構成変更を行ったり元に戻したりすることが、常に正しい又は最良でないことである。企業のＩＴマネージャが、各基地局に対する加入者負荷を監視することは、しばしば困難であり又は現実的ではない。また、企業ＩＴマネージャは、ＤＡＳ遠隔ユニットごとに所与の時間帯の負荷を決定する手段がなく、負荷割合を推測するしかできないことは、ほぼ確実である。
【００２１】
従来のＤＡＳ展開の別の大きな限界は、ＤＡＳの設置、コミッショニング、及び最適化プロセスと関係する。克服すべきいくつかの困難な問題には、屋外マクロセルサイトからのダウンリンク干渉を最小限にし、屋外マクロセルサイトへのダウンリンク干渉を最小限にし、屋内の際、並びに屋外から屋内（及びその逆）への移動の際の適切なシステム内ハンドオーバを確実にしながら、適切なカバレッジを保証するように遠隔ユニットアンテナ位置を選択することが含まれる。そのような展開最適化を行うプロセスは、試行錯誤で特徴付けられることが多い。したがって、結果が高いサービス品質と一致しないことがある。
【００２２】
ここで説明した従来の手法に基づいて、高効率的で、容易に展開され、動的に再構成可能なワイヤレスネットワークが従来のシステム及び能力によって実現できないことは、明らかである。本発明の実施形態は、上述の従来の手法の限界を実質的に克服する。本発明の実施形態によって実現される高度なシステムアーキテクチャは、分散型ワイヤレスネットワークの無線資源効率、使用状況、及び全体的性能の管理、制御、強化、及び促進に関して高度な柔軟性をもたらす。この高度なシステムアーキテクチャは、以下に限定されないが、柔軟なサイマルキャスト、自動トラフィック負荷平衡、ネットワーク及び無線資源最適化、ネットワーク較正、自律的／支援されたコミッショニング、キャリアプール、自動周波数選択、無線周波数キャリア配置、トラフィック監視、及び／又はトラフィックタグ付けを含む、特化された用途及び拡張を可能にする。また、本発明の実施形態は、複数の事業者、マルチモード無線機（変調非依存）、及び事業者当たりの複数周波数帯域にサービスして、事業者のワイヤレスネットワークの効率及びトラフィック容量を増大することもできる。
【００２３】
したがって、実施形態は、柔軟なサイマルキャストのための能力を提供する。柔軟なサイマルキャストでは、特定のＤＲＵ又グループのＤＲＵに割り当てられる無線資源（例えば、ＲＦ搬送波、ＬＴＥ資源ブロック、ＣＤＭＡ符号、又はＴＤＭＡ時間スロットなど）の量は、所望の容量及び処理量の目標又はワイヤレス加入者の要求を満たすように、ソフトウェア制御によって設定されうる。本発明の適用例は、分散型基地局、分散型アンテナシステム、分散型中継器、モバイル機器及びワイヤレス端末、携帯ワイヤレス装置、並びにマイクロ波通信及び衛星通信など他のワイヤレス通信システムで利用されるのに適している。
【００２４】
図１は、本発明の一実施形態による、地理的領域にカバレッジをもたらすことができる１つのワイヤレスネットワークシステム１００を示す図である。システム１００は、基地局資源を効率的に使用できる分散型アンテナシステム（ＤＡＳ）を含むことができる。１つ又は複数の基地局１０５が、中央位置及び／又は基地局ホテルに配置されうる。１つ又は複数の基地局１０５は、セクタ１１０として知られる複数の独立した出力又は無線資源を含むことができる。各セクタ１１０は、ワイヤレス資源（例えば、ＲＦ搬送波信号、ロングタームエボリューション資源ブロック、符号分割多元接続符号、時分割多元接続時間スロットなど）の提供を担うことができる。ワイヤレス資源は、ワイヤレスユーザのモバイル装置がネットワーク上で効率的にワイヤレスで通信を送受信することを可能にする１つ又は複数の資源を含むことができる。すなわち、ワイヤレス資源は、信号が他のワイヤレス信号に対し干渉する又は他のワイヤレス信号によって干渉されることを防止する様式で信号を符号化又は復号することを可能にする、上掲のような１つ又は複数の資源を含むことができる。複数の異なるセクタは、異なるセクタ内のユーザ間の同一チャネル干渉を発生することなく３つの別個の地理的領域をカバーするために使用されうる。
【００２５】
各セクタは、（ソフトウェア構成可能無線（ＳＣＲ）と呼ばれることもある）ソフトウェア無線（ＳＤＲ）ベースのデジタルアクセスユニット（ＤＡＵ）１１５に結合することができ、ＤＡＵ１１５は、セクタ１１０（ひいては基地局１０５）をデジタル遠隔ユニット（ＤＲＵ）１２０とインターフェースすることができる。結合は、物理的結合を表すことがある。例えば、ＤＡＵ１１５は、ケーブル、リンク、ファイバ、ＲＦケーブル、光ファイバ、イーサネットケーブル、マイクロ波見通し線リンク、ワイヤレスリンク、衛星リンクなどを介して、セクタ１１０及び／又はＤＲＵ１２０に接続することができる。いくつかの例では、ＤＡＵ１１５は、ＲＦケーブルを介してセクタ１１０に接続される。いくつかの例では、ＤＡＵ１１５は、光ファイバ又はイーサネットケーブルを介して１つ又は複数のＤＲＵに接続される。関連付けられたセクタ１１０及びＤＡＵ１１５は、互いに近くに又は同じ位置に配置されてもよい。ＤＡＵ１１５は、光信号、ＲＦ信号、デジタル信号などのような１つ又は複数の信号を変換することができる。ＤＡＵ１１５は、例えば、ＲＦ信号を光信号に変換しまた光信号をＲＦ信号に変換できるように、又は、セクタに関連付けられた信号タイプとＤＲＵに関連付けられた信号タイプとの間で信号を変換するように、多方向信号変換器を備えることができる。一実施形態では、ＤＡＵ１１５は、セクタのダウンリンクＲＦ信号を光信号に変換し、且つ／又はＤＲＵのアップリンク光信号をＲＦ信号に変換する。ＤＡＵ１１５は、さらに又は代替的に、後でより詳細に説明するように、セクタとＤＲＵの間のデータ及び／又は信号のルーティングを制御してもよい。ＤＡＵ１１５は、セクタ１１０と１つ又は複数のＤＲＵ１２０との間の、通信、呼出し、ネットワークアクセスセッションの回数などのトラフィック統計を生成し且つ／又は格納することができる。
【００２６】
各ＤＡＵ１１５は、複数のデジタル遠隔ユニット（ＤＲＵ）１２０に結合することができる。複数のＤＲＵ１２０は、例えば、（ＤＡＵを１つ又は複数のＤＲＵに間接的に結合する）デイジーチェーン、及び／又は（ＤＡＵを複数のＤＲＵに直接結合する）スター構成によって１１５に結合されてもよい。図１は、デイジーチェーン構成の例を示し、この構成では、ＤＡＵは、第１のＤＲＵに直接結合され（例えば、ＤＡＵ１からＤＲＵ１への直接接続）、第２のＤＲＵに間接的に結合され（例えば、ＤＲＵ１を経由するＤＡＵ１からＤＲＵ２への間接接続）、第３のＤＲＵに間接的に結合され、（例えば、ＤＲＵ１及び２を経由するＤＡＵ１からＤＲＵ３への間接結合）、他も同様である。図１は、スター構成の例も示し、この構成では、ＤＡＵは、複数のＤＲＵに直接結合される（例えば、ＤＡＵ１からＤＲＵ１及びＤＲＵ２３への直接結合）。各ＤＲＵは、その特定のＤＲＵによって受信されたアップリンクデータを一意に識別する各ＤＲＵに関連付けられた固有ヘッダ情報を提供することができる。
【００２７】
ＤＲＵのそれぞれは、ＤＲＵを物理的に取り囲む地理的領域内にカバレッジをもたらすことができる。ＤＲＵ１２０は、より大きい地理的領域（「セル」１２５）全体にわたる組み合わされたカバレッジを効率的にもたらすように戦略的に配置されうる。例えば、ＤＲＵ１２０がグリッドに沿って配置され、且つ／又は、隣接するＤＲＵ１２０に関連付けられたカバレッジ領域が辛うじて重なるようにされてもよい。ネットワークは、全カバレッジ領域にわたる複数の独立したセルを含むことができる。
【００２８】
各セル１２５は、セクタ１１０に割り当てることができる。例えば、図１は、資源をセクタ１がセル１及び８に提供し、セクタ２がセル２及び１０に提供し、セクタ３がサブセル３及び４に提供する実施形態を示している。関連付けられたセクタが、各ＤＲＵに、ＲＦ搬送波、資源ブロックなどの資源を提供することができる。一実施形態では、複数のセクタ１１０のそれぞれが、「チャネル」又は周波数範囲のセットに関連付けられる。各セクタ１１０に関連付けられたチャネルのセットは、基地局１０５内の他のセクタ１１０に関連付けられたチャネルのセットと異なることが可能である。ネットワークは、図１に示されるように、隣接セル１２５が、（例えば、異なるセクタ１１０に関連付けられることによって）異なるチャネルに関連付けられるように構成されうる。これにより、干渉を発生する危険性なしに、複数のセルにわたってチャネルを再使用することを可能にできる。
【００２９】
図１に示す実施形態では、各セクタ１１０は、ネットワークにおけるすべてのＤＲＵのうちの関連付けられた部分集合に接続される。したがって、例えば、セクタ１の資源（例えば、割り当てられたチャネル）は、（例えば、光ファイバの再ルーティングによる）ネットワークハードウェアへの物理的改変なしに、セル８に配置されたＤＲＵによって使用されることが不可能である。この制限は、図２に示す実施形態によって回避される。詳細には、ＤＲＵ１２０は、ＤＡＵ１１５の間の相互接続（例えば、ピアポートを使用した相互接続）に基づいて、セクタ１１０に動的に割り当てられることが可能である。したがって、例えば、セル１内のＤＲＵ１〜７は、初期にすべてセクタ１に割り当てることができる。（図２）続いて、ＤＲＵ５をセクタ３に割り当て、ＤＲＵ６をセクタ４に割り当てることもできる。（図３）このような例では、ＤＲＵ６への信号は、セクタ２からＤＡＵ２を経由しそしてＤＡＵ１を経由して進むことができる。（逆に、ＤＲＵ６からは、信号は、ＤＡＵ１及びＤＡＵ２を通過してセクタ２に進むことができる。）同様に、ＤＲＵ５への信号は、セクタ３から、ＤＡＵ３、ＤＡＵ２、そしてＤＡＵ１を経由して進むことができる。このようにして、セクタは、ネットワーク内のＤＲＵのより大きな部分集合と、又はネットワーク内のすべてのＤＲＵと間接的に接続されうる。ＤＡＵ間の通信は、後でより詳細に説明するように、１つ又は複数のサーバ１３０によって部分的に制御されうる。
【００３０】
ＤＡＵ１１５は、物理的に且つ／又は仮想的に互いに接続されうる。例えば、一実施形態では、ＤＡＵ１１５は、ケーブル又はファイバ（例えば、光ファイバ、イーサネットケーブル、マイクロ波見通し線リンク、ワイヤレスリンク、又は衛星リンク）を介して接続される。一実施形態では、複数のＤＡＵ１１５がワイヤレスネットワークに接続されることで、あるＤＡＵ１１５から別のＤＡＵ１１５へ情報を送信すること、及び／又は、複数のＤＡＵ１１５から／複数のＤＡＵ１１５へ情報を送信することが可能になる。
【００３１】
いくつかの実施形態では、ＤＲＵ１２０は、資源ルーティングにおける修正を促進するように相互接続されうる。例えば、ＤＡＵ１１５又はセクタ１１０に接続されたＤＲＵ１２０は、一方があるデイジーチェーン内にあり他方が別のデイジーチェーン内にある２つの他のＤＲＵ１２０に接続されうる。したがって、（ＤＡＵではない又はＤＡＵに追加される）相互接続された「メッシュ」ＤＲＵ１２０のセットが、（例えば、異なるデイジーチェーン内にある）他のＤＲＵ間で信号をルーティングすることができる。
【００３２】
本発明の実施形態の１つの特徴は、ＤＲＵ又はＤＲＵのグループ（複数可）の間で基地局無線資源をルーティングする能力である。１つ又は複数の基地局から利用可能な無線資源をルーティングするために、ＤＡＳネットワークにおけるＤＡＵ及びＤＲＵの個々のルータテーブルを構成することが望ましい。この機能は本発明の実施形態によって提供される。
【００３３】
本発明のいくつかの実施形態では、ルータテーブルは、ネットワーク化されたＤＡＵを構成するために使用される。ローカルルータテーブルは、入力の様々な出力に対するマッピングを設定する。内部併合ブロック（Ｉｎｔｅｒｎａｌ  Ｍｅｒｇｅ  ｂｌｏｃｋ）は、外部ポート及びピアポートからの入力を同じデータストリームに併合する必要があるときに、ダウンリンクテーブルにおいて利用される。同様に、併合ブロックは、ＬＡＮポート及びピアポートからの入力を同じデータストリームに併合する必要があるときに、アップリンクテーブルにおいて使用される。
【００３４】
遠隔ルータテーブルは、入力の様々な出力に対するマッピングを設定する。内部併合ブロックは、ＬＡＮポート及びピアポートからの入力を同じデータストリームに併合する必要があるときに、ダウンリンクテーブルにおいて利用される。同様に、併合ブロックは、外部ポート及びピアポートからの入力を同じデータストリームに併合する必要があるときに、アップリンクテーブルにおいて使用される。
【００３５】
図４に示されるように、負荷平衡システムが、複数の基地局（又は複数の基地局ホテル）１０５を備えることができる。基地局は、独立したワイヤレスネットワーク事業者及び／又は複数の規格（ＷＣＤＭＡ、ＬＴＥなど）を表すことができ、又は、さらなるＲＦ搬送波の設備を表す場合もある。基地局信号は、中立ホストアプリケーションに関してありうるように、ＤＡＵに接続される前に組み合わされることがある。異なる基地局１０５は、同じ、重複する、重複しない、又は異なる周波数帯域に関連付けられることがある。基地局１０５は、例えば、ある地理的領域にサービスするために、相互接続されてもよい。相互接続は、基地局間に延長する直接接続（例えば、ケーブル）、又は間接接続（例えば、各基地局がＤＡＵに接続され、ＤＡＵが互いに直接接続される）を含むことができる。基地局の数が多いほど、所与のセルに対し容量を追加する能力が増大する。基地局１０５は、独立したワイヤレスネットワーク事業者、及び／又は複数の規格（ＷＣＤＭＡ、ＬＴＥなど）を表すことができ、且つ／又はさらなるＲＦ搬送波の設備を表す場合もある。いくつかの実施形態では、基地局信号は、中立ホストアプリケーションに関してありうるように、ＤＡＵに接続される前に組み合わされる。一例では、図４に示されるように、ＢＴＳ１からのセクタは、ＢＴＳ  Ｎへのセクタに直接結合される同じＤＡＵ及び／又はＤＲＵに直接結合される。いくつかの他の例では、異なるＢＴＳからの１つ又は複数のセクタが、１つ又は複数の他のＤＡＵのセクタによって共有されないＤＡＵに直接結合されうる。負荷平衡は、異なる基地局１０５に対して異なるかたちで適用されてもそうでなくてもよい。例えば、ＤＲＵ５に対し、ＢＴＳ１におけるセクタ１からセクタ２が再割当てされた場合、ＢＴＳ  Ｎについて同様に再割当てがされてもそうでなくてもよい。
【００３６】
限られた基地局資源を効率的に利用するために、ＤＲＵのネットワークは、ＤＲＵの個々のアップリンク信号及びダウンリンク信号を、任意のＢＴＳセクタに対し及び任意のＢＴＳセクタからリダイレクトする能力を有するべきである。ＤＲＵのデータトラフィックは固有のストリームを有するため、ＤＡＵルータは、信号を様々なセクタにルーティングする機構を有する。
【００３７】
図５は、本発明の一実施形態による、地理的領域にわたってネットワーク資源を割り振る方法５００を示す。５０５で、初期使用マップを決定することができる。使用マップは、空間単位当たり（及び／又は時間単位当たり）の実際の又は予測された使用を含むことができる。空間単位は、セル１２５、ＤＲＵ１２０に関連付けられた地理的領域、セル内の部分領域、又はＤＲＵ１２０に関連付けられた地理的領域内の部分領域を含むことができる。例えば、多数のユーザがセル１内で東部標準時の午後３時〜４時にネットワークを使用しようと試みると予測される場合がある。マップはまた、実際の又は予測された使用のタイプ（例えば、ユーザ当たりの帯域幅、空間単位当たりの帯域幅、使用が通話のためであるか又は他のデータ伝送であるかなど）を含むことができる。したがって、様々な空間的使用にわたる要求される全資源を予測するために、空間マップが生成されうる。使用マップは、各マップ上の空間／時間単位（例えば、ネットワークのカバレッジ内の各空間単位）についての実際の若しくは予測された使用状況、又はそれら単位の部分集合のみについての実際の若しくは予測された使用状況を含むことができる。例えば、いくつかの実施形態では、需要が高いと予測された空間単位に関する予測された使用状況のみを含む。
【００３８】
使用マップは、様々な方法で予測されうる。例えば、システムが、実際の使用状況を監視し、時間パターン及び空間パターンを検出すること、及び／又は、システムが、ネットワークに関連付けられた装置を追跡して、装置がどこに位置するかを識別する（その後、多くの装置が位置する領域が多くのネットワーク要求を受け取ることを予測する）ことが可能である。別の例では、常識的な習慣（例えば、夜に職場にいる人は少ないことが見込まれる）に基づいて、マップを予測することができる。
【００３９】
いくつかの例では、使用マップは、予測に基づかずに、現在又は最近特定された使用状況に基づいて決定される。例えば、マップは、複数の空間単位のそれぞれにおける、ネットワークに接続された現在のユーザの数を識別してもよい。
【００４０】
５１０で、複数のＤＲＵ１２０のそれぞれを、１つ又は複数のセクタ１１０に割り当てることができる。この割当ては、５０５で決定された初期使用マップ、既定の割当て、及び／又はネットワークのアーキテクチャに少なくとも部分的に基づいて決定されうる。例えば、ネットワーク内の１つ、複数、又はすべてのＤＲＵ１２０は、既定のセクタ割当てを有することがある。既定の割当ては、該当セクタから該当ＤＲＵを隔てるＤＡＵの数に基づいて決定されてもよい。例えば、図３では、ＤＲＵ４は、セクタ１からは１つのＤＡＵによって隔てられているが、セクタ３からは３つのＤＡＵによって隔てられていることになる。既定の割当ては、該当ＤＲＵと該当セクタの間の試験通信に基づいて決定されてもよい。例えば、ＤＲＵ４が、各セクタとの試験通信を送信して応答信号を要求し、ユーザに最も高いサービス品質を提供するセクタがＤＲＵに割り当てられてもよい。サービス品質は、例えば、最大システム処理量、基本サービスを提供できるユーザの最大数、特定の品質水準又はその水準を超えるサービスが利用可能なユーザの割合、ユーザに利用可能な平均又は中央値の信号品質、及び／又は、ある割合（例えば、５１％、８０％、若しくは９０％）のユーザに利用可能な信号の平均品質又は最小品質を、測定することによって評価されうる。既定の割当ては、最新の割当てと同じでありうる。
【００４１】
割当ては、さらに又は代替的に、決定された使用マップに依存してもよい。例えば、一例では、既定の割当てが、他のセクタよりも実質的に多くのセクタ１の資源の使用を引き起こすと予測される場合がある。その場合、この不均衡を回避するように、セクタ１内の１つ又は複数のＤＲＵが他のセクタに再割当てされてもよい。いくつかの例では、再割当てが常に資源の不均衡を最小限にするように行われる。いくつかの例では、再割当ては、（例えば、不均衡の、又はセクタに送信される資源要求の）特定の閾値に達する又は達すると予測されるときのみに行われる。いくつかの例では、期待される周波数干渉、使用パターンの実際の又は予測された時間的変動など、他の考慮事項に基づいて少なくとも部分的又は全体的に決定される。
【００４２】
再割当てすべきＤＲＵの選択は、例えば、（１）ＤＲＵに関連付けられた領域についての決定された使用（例えば、使用が最も多いと決定された領域に関連付けられた１つ若しくは複数のＤＲＵの再割当て、資源を最も均等に平衡させるようにする１つ又は複数のＤＲＵの再割当てなど）、（２）ＤＲＵに関連付けられた領域内のユーザに対するサービス品質の最大化、（３）セルの関連付け（例えば、選択セル内の再割当てのクラスタ化の試み又は回避）、（４）セル内位置（例えば、割当て後に伝送干渉をもたらす可能性が最も小さいであろう地理的位置に関連付けられたＤＲＵの再割当ての試み）、及び／又は（５）最近、セルが再割当てされたかどうか（例えば、連続する割当て間の継続性を維持する試み）に応じてされることがある。
【００４３】
いくつかの実施形態では、１つ又は複数のＤＲＵが複数のセクタに割り当てられる。例えば、ＤＲＵは、常に、既定のセクタ（例えば、最も少ない数のＤＡＵで隔てられたセクタ）に割り当てられることがある。ＤＲＵはまた、決定された使用マップの分析に基づいて別のセクタに割り当てられてもよい。この分析は、例えば、再割当ての考慮事項に関して上述した任意の考慮事項を含んでもよい。ＤＲＵが複数のセクタに割り当てられる例では、ＤＲＵ割当ては、（例えば、各割り当てられたセクタによって処理されるべきＤＲＵの使用負荷の割合を示す）重みを含んでもよい。
【００４４】
５１５で、割当てを格納することができる。割当ては、例えば、中央サーバ１３０にあるデータベースに格納することができる。データベースは、期間、空間領域、ＤＲＵ識別子、及び／又はセクタ識別子を含むことができる。例えば、データベースは、月曜日の午前１０時〜午後１２時に、ＤＲＵ１〜７がセクタ１に割り当てられ、ＤＲＵ８〜１４がセクタ２に割り当てられることを示すことができる。いくつかの例では、割当ては、汎用的な割当てである。例えば、使用パターンについて学習した後、システムは、ネットワーク内のすべてのＤＲＵについての日及び時間依存の割当てを作成することができ、この割当ては、完全又は実質的に静的となりうる。別の例として、割当ては、反復的に再決定される。例えば、割当ては、現在又は最近観測された使用状況に部分的又は完全に基づくことが可能である。
【００４５】
５２０で、ネットワークは、割当てに基づいて仮想的に構成される。この構成により、ネットワークアーキテクチャ又はハードウェアを操作する必要なく、選択ネットワーク構成要素が結合されること（例えば、割り当てられたセクタとＤＲＵ）を可能にできる。したがって、例えば、１つ又は複数のＤＡＵ１１５に（ワイヤレスネットワークを介して又は１つ又は複数のＤＡＵへの物理的接続を介して）指示を送って、ＤＡＵが受信信号（ダウンリンク及び／又はアップリンク信号）をどのようにルーティングすべきか、及び／又はセクタ資源をどのように割り振るべきかを指示することができる。例えば、ＤＡＵ１１５は、ＤＲＵ１２０から直接セクタに且つ／又は別のＤＡＵ１１５に信号を送信するように指示されうる。逆に、ＤＡＵ１１５は、セクタから直接ＤＲＵ１２０に且つ／又は別のＤＡＵ１１５に信号を送信するように指示されうる。後でより詳細に説明するように、ＤＲＵから受信される又はＤＲＵへ送信される信号は、（例えば、信号ヘッダにＤＲＵ識別情報を符号化することにより、又はＤＲＵ信号を時分割多重化することにより）ＤＲＵの識別が可能なように符号化することができ、それにより、ＤＡＵが信号をどのようにルーティングするかを決定することが可能になる。同様に、セクタから受信される又はセクタに送られる信号は、（例えば、信号ヘッダにセクタ識別情報を符号化することにより）セクタの識別が可能なように符号化することができ、それにより、ＤＡＵが信号をどのようにルーティングするかを決定できる。一例では、指示により、１つ又は複数のＤＡＵに、特定のセクタから電力を供給される特定のＤＲＵに関する指示が提供される。
【００４６】
５２５で、新しい使用マップを決定することができる。例えば、新しい使用マップは、定期的（例えば、１時間に一回）、セクタの資源が不均等に使用されているとき、１つ又は複数のセクタの資源の使用が閾値を超えたときなどに、決定することができる。新しい使用マップは、５０５に関連して上述した手段のいずれかで決定することができる。初期及び新しい使用マップは、同一、類似、又は異なる技法を用いて決定されうる。
【００４７】
５３０で、ＤＲＵは、１つ又は複数のセクタに割り当てられる。この割当ては、５１０で行われた割当てに対して全く新しくてもよく、又は５１０で行われた割当ての修正を含んでもよい。この割当ては、５１０に関して上述した手段のいずれかで決定することができる。割当ての技法は、５１０及び５３０での割当てと同一、類似、又は異なる技法とされうる。例えば、５３０での割当ては、さらに又は代替的に、使用状況における地理的不一致に基づいてもよい。別の例では、両者の割当ては使用マップに基づく。一実施形態では、５３０における少なくとも一部の割当ては、５１０における対応する割当てとは異なる。例えば、５１０では、１つ又は複数のＤＲＵは、各ＤＲＵから最も少ない数のＤＡＵによって隔てられたセクタに割り当てられるが、５３０では、同じ１つ又は複数のＤＲＵは、（例えば、セクタ間の使用のより均等な分布を可能にするために）別のセクタに割り当てられることが可能である。
【００４８】
５３５で、割当てが格納される。割当ては、例えば、中央サーバ１３０にあるデータベースに格納することができる。データベースは、期間、空間領域、ＤＲＵ識別子、及び／又はセクタ識別子を含むことができる。割当ては、５１５で割当てを格納するデータベースと同じデータベースに格納することができる。この割当てが以前に格納された割当てに取って代わってもよく、又は複数のセットの割当てが格納されてもよい。例えば、各割当てのセットは、固有識別子、反復回数、期間、トリガなどに関連付けることができる。格納される割当ては、完全な割当てセット（例えば、ネットワーク内のすべてのＤＲＵのそれぞれを１つ又は複数のセクタに割り当てる）、又は部分的割当てセットを含むことができる。例えば、割当てが先行の割当てと異なる又は既定の割当てと異なる場合にのみ、割当てが格納されでもよい。
【００４９】
５４０で、５２０にて構成されたネットワークが割当てに基づいて仮想的に再構成される。ネットワークは、５２０に関連して説明したような任意の方法で再構成することができる。いくつかの例では、ネットワークは、５２０での構成と５４０での再構成が同じ方法で行われる。いくつかの例では、再構成は、いくつかの例では、ネットワークは、５３０での割当てが５１０での割当てと異なる場合のみ再構成される。
【００５０】
図５に示すように、プロセスは、１つ又は複数の機能を反復することを含むことができる。例えば、５２０〜５４５が、例えば、一定間隔で、又は条件（例えば、ネットワークの不均衡、閾値を超えたセクタの使用など）を検出したときに、反復されてもよい。
【００５１】
図６は、本発明の一実施形態による、ＤＲＵ信号をルーティングする方法６００を示す。６０５で、ＤＲＵから発信された信号を（例えば、ＤＡＵで）受信することができる。信号は、ＤＲＵから直接受信される場合もそうでない場合もある。例えば、信号は、発信元のＤＲＵから、１つ若しくは複数のＤＲＵ及び／又は１つ若しくは複数のＤＡＵを介して渡されることがある。信号は、光ファイバ伝送、イーサネットケーブルなどを経て受信することができる。信号には、例えば、光信号又はデジタル信号が含まれうる。
【００５２】
６１０で、信号を発信したＤＲＵ（すなわち、発信元ＤＲＵ）を識別するために、信号を復号することができる。この識別は、複数のＤＲＵのうちの１つを識別することを含むことができる。識別は、発信元ＤＲＵに対応する又はＤＲＵ信号の時分割多重化による識別子を含むことができる受信信号のヘッダを分析することを含むことができる。例えば、ＤＲＵは、携帯電話から信号を受信し、変換／符号化した信号をネットワーク内の基地局へ送信できるように信号を変換／符号化することができる。ＤＲＵはさらに、変換／符号化された信号を、ＤＲＵを識別するヘッダ、又はＤＲＵ信号の時分割多重化によって補強することができる。次いで、この補強された信号は、接続されたＤＡＵに送信することができる。
【００５３】
６１５で、ＤＲＵ識別情報に基づいて信号をどこへルーティングするかを決定することができる。この決定は、１つ又は複数のＤＲＵの１つ又は複数のセクタへの割当てに完全に又は部分的に基づくことができる。これらの割当ては、例えば、ルーティングを決定するＤＡＵに接続されたサーバにおけるデータベースに格納することができる。ルーティングは、例えば、最終宛先セクタ及び／又は目下のルーティングを指示することができる。例えば、一例では、ルーティングは、ＤＲＵ７からの信号がセクタ２に送られるべきことを指示することができる。次いで、信号を受信したＤＡＵは、ＤＡＵの相対的ネットワーク位置及び最終宛先セクタ（例えば、ＤＡＵが、セクタに接続されているか又はＤＡＵをセクタから隔てる他のＤＡＵに接続されているか）に基づいて信号をどのようにルーティングするかを決定することができる。一例では、ルーティングは、ＤＡＵ１で受信されたＤＲＵ７からの信号は、下流のＤＡＵ又はＤＡＵ２にルーティングされるべきことを指示することができる。
【００５４】
６２０で、信号を変換することができる。信号は、ＤＲＵによって送信された信号タイプからセクタによって受信されうる信号タイプに変換することができる。例えば、信号は、光又はデジタル信号からＲＦ信号に変換することができる。いくつかの実施形態では、信号は変換されない。いくつかの実施形態では、（ＤＡＵではなく）ＤＲＵから信号を受信したとき又は（ＤＡＵではなく）セクタへ信号を直接ルーティングすべきときのみ、信号が変換される。
【００５５】
６２５で、決定されたルーティングに従って信号を送ることができる。したがって、例えば、接続されたＤＡＵ及び／又は接続されたセクタなど、１つ又は複数の接続されたネットワーク構成要素へ信号を送ることができる。
【００５６】
図７は、本発明の一実施形態による、ＤＲＵ信号をルーティングする別の方法７００を示す。図７の７０５〜７２０は、図６の６０５〜６２０と同様である。したがって、上述の実施形態の１つ、複数、又は全部がこれらの機能に適用されうる。
【００５７】
７１５で、決定されるルーティングは、信号を受信することになる１つ又は複数の宛先セクタを識別することを含むことができる。７２５では、７０５で信号を受信したネットワーク構成要素（例えば、ＤＡＵ）がすべての宛先セクタに直接接続されているかどうかを決定することができる。例えば、ＤＡＵがケーブル若しくはファイバを介してすべての宛先セクタに直接されているか、及び／又は、ＤＡＵがまったく中間ＤＡＵなしにすべての宛先セクタに接続されているかが決定されうる。ネットワーク構成要素がすべての宛先セクタに直接接続されている場合、７３０で、直接接続されている宛先セクタ（複数可）に信号を送信することができる。
【００５８】
同様に、７３５で、接続されているＤＡＵに信号を送信することができる。一実施形態では、信号は、（７１５で識別された）特定のＤＡＵに送信される。一実施形態では、信号は、７０５で信号を受信したネットワーク構成要素（例えば、ＤＡＵ）に直接接続されたすべてのＤＡＵに送信される。一実施形態では、７０５で信号を受信したネットワーク構成要素（例えば、ＤＡＵ）から上流又は下流と分類される直接接続されたＤＡＵへ、信号が送信される。次いで、７４０では、７０５で信号を受信したネットワーク構成要素（例えば、ＤＡＵ）が少なくとも１つの宛先セクタに直接接続されているかどうかを決定することができる。直接接続されている場合、７３０で、直接接続されている宛先セクタ（複数可）に信号を送ることができる。そうでない場合、プロセス７００は、７０５で受信された信号に関して終了することができる。
【００５９】
図８は、本発明の一実施形態による、セクタ信号をルーティングする方法８００を示す。８０５で、セクタから発信された信号（例えば、ダウンリンクＲＦ信号）を（例えば、ＤＡＵで）受信することができる。信号は、セクタから直接受信される場合もそうでない場合もある。例えば、信号は、発信元のセクタから、１つ又は複数のＤＡＵを介して渡されることがある。信号は、ＲＦケーブル伝送を経て受信することができる。
【００６０】
８１０で、宛先ＤＲＵ（例えば、信号を受信することになるＤＲＵ）を識別するために、信号を復号することができる。この識別は、複数のＤＲＵのうちの１つを識別することを含むことができる。識別は、発信元ＤＲＵに対応する又はＤＲＵ信号の時分割多重化による識別子を含むことができる受信信号のヘッダを分析することを含むことができる。各ＤＡＳは、複数のセクタを含む中央基地局から資源（例えば、ＲＦ搬送波、ロングタームエボリューション資源ブロック、符号分割多元接続符号、又は時分割多元接続時間スロット）を受け取り、資源を複数のデジタル遠隔ユニット（ＤＲＵ）に分配することができる。ＤＡＵ及びＤＲＵにおけるルーティングテーブルは、信号がどこにルーティングされるかを識別するように構成されうる。
【００６１】
８１５で、ＤＲＵ識別情報に基づいて信号をどこにルーティングするかを決定することができる。この決定は、１つ又は複数のＤＲＵの１つ又は複数のセクタへの割当てに完全に又は部分的に基づくことができる。これらの割当ては、ルーティングを決定するＤＡＵに接続されたサーバにおけるデータベースに格納することができる。ルーティングは、例えば、最終宛先ＤＲＵ及び／又は目下のルーティングを指示することができる。例えば、一例では、ルーティングは、信号をＤＡＵ２からＤＡＵ１に送信する（次いで、ＤＡＵ１が信号をＤＲＵ７に到着するように送信できる）ことによって、セクタ２からの信号がＤＲＵに７に到着できることを指示することができる。一例では、ルーティングは、信号をＤＡＵ１からＤＲＵ１に送信する（次いで、ＤＲＵ１が信号をＤＲＵ７に到着するように送信できる）ことによって、セクタ１からの信号がＤＲＵに７に到着できることを指示することができる。
【００６２】
８２０で、信号を変換することができる。信号は、セクタによって送信された信号タイプからＤＲＵによって受信されうる信号タイプに変換することができる。例えば、信号は、ＲＦ信号から光信号に変換することができる。いくつかの実施形態では、信号は変換されない。いくつかの実施形態では、（ＤＡＵではなく）ＤＲＵから信号を受信したとき又は（ＤＡＵではなく）セクタへ信号を直接ルーティングすべきときのみ、信号が変換される。
【００６３】
８２５で、決定されたルーティングに従って信号を送ることができる。したがって、例えば、接続されたＤＡＵ及び／又は接続されたＤＲＵなど、１つ又は複数の接続されたネットワーク構成要素へ信号を送ることができる。
【００６４】
図９は、本発明の一実施形態による、セクタ信号をルーティングする別の方法９００を示す。図９の９００〜９１５は、図８の８０５〜８１０及び８２０と同様である。したがって、上述の実施形態の１つ、複数、又は全部がこれらの要素に組み込まれる可能性がある。９２０では、９０５で信号を受信したネットワーク構成要素（例えば、ＤＲＵ）が、識別された受信ＤＲＵから１つ又は複数のＤＡＵによって隔てられているかどうかを、決定することができる。隔てられていない場合、９２５で、識別された受信ＤＲＵに信号を送信することができる。例えば、信号は、ＤＲＵに直接送信される、又は受信ＤＲＵにデイジーチェーンで接続された別のＤＲＵに送信されることがある。
【００６５】
隔てられている場合、９３０で、接続されたＤＡＵに信号を送信することができる。一実施形態では、信号は、９０５で信号を受信したネットワーク構成要素に接続されたすべてのＤＡＵに送信される。一実施形態では、ネットワーク構成要素、又はネットワーク構成要素に接続されたサーバは、ネットワーク構成要素を受信ＤＲＵから隔てる経路に基づいて、信号の送信先となるＤＡＵを選択する。一実施形態では、ルーティングデータベースは、信号の発信元及び／又は宛先を前提に、どのＤＡＵに信号が送信されるべきかを指示する。
【００６６】
ＤＲＵの１つ又は複数のセクタへの動的割当ては、第１の期間中のＤＲＵの割当てが、第２の後続の期間中のＤＲＵの割当てと異なる状況をもたらすことがある。様々な技法が、第１の割当てから第２の割当てへの移行のために使用されうる。
【００６７】
一実施形態では、移行は、第１の割当てが特定の時点で第２の割当てに完全に変わるハードハンドオフを含む。この移行時間は、例えば、第２の割当ての決定直後の、第２の割当てと関連付けられた期間の開始時などでありうる。
【００６８】
一実施形態では、移行は、修正型のハードハンドオフを含む。ハードハンドオフに関して上述したように割当てが（例えば、特定の時間で）変化できるが、呼の切断を回避するように移行を修正することができる。例えば、移行時に継続中の任意の呼に関連付けられた信号が第１の割当てを維持しながら、移行後に開始された任意の呼を第２の割当てに関連付けることができる。
【００６９】
一実施形態では、移行は、移行時の呼の切断の可能性及び／又は進行中のデータセッションを減少させることができるソフトハンドオフを含む。ソフト移行は、先行の割当てとは異なるセクタに割り当てられたＤＲＵを識別すること、及び各ＤＲＵの移行割当てを決定することを含み、移行割当ては、新旧のセクタ両方に対する割当てを含む。ソフト移行は、二重の重み付けがない移行を含むことができる。例えば、ＤＲＵ６が先にセクタ１に割り当てられて後でセクタ２に割り当てられた場合に、信号は、中間の期間に両方のセクタから／両方のセクタヘ送信されうる。その期間は、固定されてもされなくてもよい。例えば、期間は、数秒であってもよく、又は、新しく割り当てられたセクタが、信号をそのセクタが適切に受信／送信し始めたことを示すまでとされてもよい。
【００７０】
一実施形態では、移行は、部分的ハンドオフを含む。部分的移行は、先行の割当てとは異なるセクタに割り当てられたＤＲＵを識別すること、及び各ＤＲＵの新しい割当てを決定することを含み、新しい割当ては、新旧のセクタ両方に対する割当てを含む。ソフトハンドオフ移行と異なり、部分的ハンドオフ移行は一時的である必要はなく、一定の期間又は無制限に維持されてもよい。等しい重み及び／又は完全な重みで先行及び新規のＤＲＵの両方から／両方へ信号が送信されてもよく、又は信号が重み付けられてもよい。部分的ハンドオフ移行は、例えば、ＤＲＵがセクタの境界付近又は境界に物理的に位置する場合に有利なことがある。
【００７１】
一実施形態では、移行は、重み付けされたソフトハンドオフを含む。ソフト移行では、徐々に、ＤＲＵに初期に割り当てられた１つ又は複数のセクタから受信される／かかるセクタで受信される信号の重み付けを減少させ、且つ／又は、その後そのＤＲＵに割り当てられた１つ又は複数のセクタから受信される／かかるセクタで受信される信号の重み付けを増加させてもよい。
【００７２】
図１０は、連続するＤＲＵ−セクタ割当て間を移行する方法１０００を示す。１００５で、ＤＲＵを１つ又は複数の第１のセクタに割り当てることができる。この割当ては、本明細書に記載の任意の技法を用いて行うことができる。例えば、割当ては、既定の割当て、及び／又は実際の若しくは予測された地理的使用パターンに少なくとも部分的に基づくことができる。
【００７３】
１０１０で、割り当てられた１つ又は複数の第１のセクタから資源をＤＲＵに提供することができる。各ＤＲＵは、複数のセクタを含む中央基地局から資源（例えば、ＲＦ搬送波、ロングタームエボリューション資源ブロック、符号分割多元接続符号、又は時分割多元接続時間スロット）を受け取り、複数のデジタル遠隔ユニット（ＤＲＵ）に資源を分配することができる。一実施形態では、セクタに割り当てられた資源（例えば、周波数チャネル）は、ＤＲＵの周囲の領域に位置するモバイル装置が、自動的にセクタに接続し関連する資源を利用するように、ＤＲＵに割り振られる。資源は、１つ又は複数の第１のセクタとＤＲＵとの間の（例えば、１つ又は複数のＤＡＵを介する）接続（例えば、ＲＦ接続、光接続、デジタル接続など）を介して提供することができる。
【００７４】
１０１５で、ＤＲＵを１つ又は複数の第２のセクタに割り当てることができる。この割当ては、本明細書に記載の任意の技法を用いて行うことができる。例えば、割当ては、既定の割当て、及び／又は実際の若しくは予測された地理的使用パターンに少なくとも部分的に基づくことができる。第１の割当てと第２の割当ては、同じ技法又は異なる技法を使用して行うことができる。
【００７５】
１０２０で、第１のセクタと第２のセクタが異なるかどうかを決定することができる。決定は、例えば、いずれの第２のセクタも第１のセクタでなかったか、いずれの第１のセクタも第２のセクタでないか、第１のセクタと第２のセクタが同じか、第２のセクタのいずれもが第１のセクタでないか、第１のセクタのいずれもが第２のセクタでないかなどを決定することを含むことができる。セクタが異なっていないことが決定された場合は、１０２５で、（１０１０で説明したように）ＤＲＵは、１つ又は複数の第２のセクタから資源をＤＲＵに提供することができる。
【００７６】
そうでない場合、１０３０で、第１のセクタ（複数可）と第２のセクタ（複数可）の間でソフトハンドオフを行うことができる。詳細には、資源が、第１のセクタ（複数可）による供給から第２のセクタ（複数可）による供給に徐々に移行することができる。例えば、第２のセクタ（複数可）が、ＤＲＵからの増加しつつある資源パワー量、又は増加しつつある周波数帯域数を受け取る一方、それに応じて、第１のセクタ（複数可）が、減少する資源パワーを受け取ることが可能である。次いで、ＤＲＵの周囲の領域内のモバイル装置は、第１のセクタ（複数可）から低下する信号強度を検出し、次第に強度が増していく第２のセクタ（複数可）に接続するように継続中の通信を切り替えることができる。したがって、その後、モバイル装置は、第１のセクタの資源ではなく第２のセクタの資源に対し開始することができる。
【００７７】
図１０に示すように、次いで、プロセスは、１０１５〜１０３０を繰り返す、すなわち、続いてＤＲＵを再割当てし、新しく割り当てられたセクタ（複数可）が先に割り当てられたセクタ（複数可）と異なるかどうかを決定し、決定に鑑みて資源供給を適切に調整することを繰り返すことができる。セクタ間のソフトハンドオフにより、ネットワークが通信又は呼を切断するのを防止するとともに、（データ速度を向上し干渉を低減するように）効率的に資源を割り振ることができる。
【００７８】
図１１は、ソフトハンドオフを使用するワイヤレスネットワークシステム１１００を示す図である。この例では、ＤＲＵ５がセクタ３に新しく割り当てられ、ＤＲＵ６がセクタ２に新しく割り当てられる。ＤＲＵ５とＤＲＵ６はともに、以前にセクタ１に割り当てられていた。ネットワークハードウェア及びアーキテクチャに基づいて、ＤＲＵ１〜７からの信号は初期にはＤＡＵ１へルーティングすることができる。次いで、ＤＡＵ１が、例えば、上記のいずれかの技法によって、信号をどのようにルーティングするかを決定することができる。この実施形態では、ＤＡＵ１は、ＤＲＵ５及び６の新しい割当てに基づいて、移行割当てを識別することができる。移行割当ては、（アップリンク又はダウンリンク経路接続性に影響する）利得係数にそれぞれが関連付けられた複数のセクタへの割当てを含むことができる。例えば、ＤＲＵ１が、ＤＲＵ５及び６からＤＡＵ２に送信される（その後、セクタ２に送信される、若しくはＤＡＵ３に送信されてセクタ３に送信される）信号の利得を徐々に増加させること、及び／又は、ＤＲＵ１が、ＤＲＵ５及び６からセクタ１に送信される信号の利得を徐々に減少させることが可能である。これらの増加及び減少は、例えば、（セクタ１又はＤＡＵ２に送信される）ＤＡＵ５〜６の信号の総利得が実質的又は完全に一定であり続けるように、相補的にすることができる。利得は、例えば、約１〜６０秒又は１〜５分の期間にわたって変化することができる。相対的に短い移行期間は、ネットワーク効率を向上することができる。
【００７９】
図示されていないが、同様にＤＡＵがセクタから受信した信号の利得を調整してもよい。したがって、例えば、ＤＡＵ１は、ＤＲＵ６に関してセクタ１から、またＤＲＵ６に関して（ＤＡＵ２を介し）セクタ２から、信号を受信することができる。次いで、ＤＡＵ２が、これらの信号の利得を調整し（いくつかの例では信号を結合し）、これらの信号（複数可）を（ＤＲＵ１〜５を介して）ＤＲＵ６に送信することができる。いくつかの実施形態では、セクタ２からの信号の利得は、ＤＡＵ１ではなくＤＡＵ２で調製される。
【００８０】
一実施形態では、利得係数は、ネットワーク内のすべてのＤＲＵ−セクタ対について決定及び／又は格納される。利得は、移行が事実上ない場合に０又は１に設定されてもよい。一実施形態では、利得係数は、ネットワーク内のＤＲＵ−セクタ対の部分集合のみについて決定及び／又は格納される。例えば、利得係数は、先行のそれぞれの割当てと比較して１つ又は複数の異なるセクタに割り当てられているＤＲＵのみについて決定されてもよい。
【００８１】
図１２は、本発明の一実施形態によるＤＡＵ１１５０の構成要素を示す。ＤＡＵ１１５０は、ルータ（すなわち、ローカルルータ１２０５）を備えることができる。ＤＡＵ１１５０は、１つ又は複数のポート１２１５及び１２２０を備えることができる。ポート１２１５及び１２２０は、例えば、ＤＡＵがインターネット及び／又はホストユニット若しくはサーバ１２２５（例えば、サーバ１３０）に接続することを可能にできる。サーバ１２２５は、少なくとも部分的に、ＤＡＵを構成し、且つ／又は種々のローカルルータポート間の信号のルーティングを制御することができる。サーバ１２２５は、（例えば、再割当て条件の設定、割当ての識別、割当ての格納、ネットワーク構成の入力、ネットワーク使用状況の受信／収集／分析などを行うために）、例えば、遠隔動作制御部１２３０によって少なくとも部分的に制御されてもよい。
【００８２】
ＤＡＵ１１５０は、物理ノード１２１０を備えることができ、物理ノード１２１０は、１つ又は複数の第１のエンドポート１２３５によってローカルルータ１２０５に結合されうる。物理ノード１２１０は、ダウンリンクのためのＲＦ信号からベースバンドへの変換、及びアップリンクのためのベースバンドからＲＦへの変換をすることができる。物理ノード１２１０は、無線周波数（ＲＦ）でＢＴＳに接続されてもよい。物理ノード１２１０は、異なる事業者、異なる周波数帯域、又は異なるチャネルなどで使用されうる。物理ノード１２１０は、送受切替器を介してダウンリンク信号とアップリンク信号を結合することができ、又は単信構成の場合のようにダウンリンク信号とアップリンク信号を別個に維持することもできる。物理ノード１２１０は、信号を、ダウンリンク経路のためにＲＦからベースバンドへ、またアップリンク経路のためにベースバンドからＲＦへ変換することができる。
【００８３】
各物理ノード１２１０は、第１のエンドポートのような１つ又は２つ以上のポートを含むことができ、各ポートにより、信号（例えば、ＲＦ信号、及び／又はセクタから／セクタヘの信号）のＤＡＵ１１５０による受信又は送信を可能にすることができる。いくつかの実施形態では、複数の物理ノード１２１０のそれぞれは、ダウンリンクポート１２１２及びアップリンクポート１２１３を備える。いくつかの実施形態では、物理ノード１２１０は、例えば、ダイバーシティ接続を扱うために、追加のアップリンクポートを備えることもできる。出力ポート（例えば、ダウンリンクポート１２１２及びアップリンク１２１３）は、基地局の１つ又は複数のポート（例えば、ＲＦポート）に結合することができる。したがって、ＤＡＵ１１５０は、基地局に物理的に結合することができる。
【００８４】
ローカルルータ１２０５は、種々のＬＡＮポート、ピアポート、及び外部ポートの間のトラフィックを誘導する。ローカルルータ１２０５は、１つ又は複数の第２のエンドポート１２４０を備えることができ、第２のエンドポート１２４０は、例えば、光ファイバ、イーサネットケーブルなどを介して、ＤＡＵ１１５０を１つ又は複数のＤＲＵ又はＤＡＵに結合することができる。第２のエンドポート１２４０には、ＬＡＮ又はＰＥＥＲポートが含まれうる。第２のエンドポート１２４０は、デジタル及び／又は光信号などの信号を送信及び／又は受信するように構成することができる。ルータ１２０５は、ＬＡＮ及びピアポートから、選択された外部Ｕポートにアップリンクデータストリームを誘導することができる。同様に、ルータ１２０５は、外部Ｄポートから、選択されたＬＡＮ及びピアポートにダウンリンクデータストリームを誘導することができる。
【００８５】
一実施形態では、少なくとも１つの第２のエンドポート１２４０がＤＡＵ１１５０を別のＤＡＵに結合し、少なくとも１つの第２のエンドポート１２４０がＤＡＵ１１５０をＤＲＵに結合する。ローカルルータは、光リンクを介する移送のために信号を符号化し、また光リンクからの光信号を復号することができる。物理ノードは、ＲＦ信号をベースバンドに変換する又はベースバンド信号をＲＦに変換する機能を実行することができる。ＤＡＵは、種々のポート上のトラフィックを監視し、この情報をサーバへルーティングする又はこの情報をローカルで格納することができる。
【００８６】
図１３は、本発明の実施形態によるＤＲＵ１３００の構成要素を示す。ＤＲＵ１３００は、ルータ（すなわち、遠隔ルータ１３０５）を備えることができる。ＤＲＵは、ネットワークポート１３１０を備えることができ、ネットワークポート１３１０は、（イーサネットスイッチ１３１５を介して）ＤＲＵ１３００を（例えばワイヤレス）ネットワークに結合することを可能にできる。すると、ネットワークを通して、ＤＲＵ１３００がコンピュータ１３２０に接続することができる。したがって、ＤＲＵ１３００との遠隔接続が確立できることになる。
【００８７】
遠隔ルータ１３０５は、サーバ１３０、サーバ１２２５、１つ若しくは複数のＤＡＵに接続されたサーバ、及び／又は他の任意のサーバなどのサーバによって構成することができる。ルータ１３０５は、ＬＡＮ及びピアポートから、選択された外部Ｄポートにダウンリンクデータストリームを誘導することができる。同様に、ルータ１３０５は、外部Ｕポートから、選択されたＬＡＮ及びピアポートにアップリンクデータストリームを誘導することができる。ネットワーク１３１０は、インターネットへの接続ためのワイヤレスアクセスポイントとして使用することができる。インターネット接続は、例えば、ＤＡＵで確立することができ、インターネットトラフィック上にＤＲＵ物理ノードとＤＡＵ物理ノードの間のデータ移送を重ねることができる。
【００８８】
ＤＲＵ１３００は、１つ又は複数の物理ノード１３２５を備えることができる。物理ノード１３２５は、異なる事業者、異なる周波数帯域、又は異なるチャネルなどで使用されうる。物理ノード１３２５は、信号を、ダウンリンク経路のためにＲＦからベースバンドへ、またアップリンク経路のためにベースバンドからＲＦへ変換することができる。各物理ノード１３２５は、第１のエンドポート１３３０のような１つ又は２つ以上のポートを含むことができ、各ポートにより、信号（例えば、ＲＦ信号、及び／又はモバイル装置から／モバイル装置ヘの信号）のＤＲＵ１２００による受信又は送信を可能にすることができる。いくつかの実施形態では、複数の物理ノード１３２５のそれぞれは、ＤＲＵ１３００との間で信号（例えば、ＲＦ信号）を送信／受信する１つ又は複数のポートを備えることができる。ポートには、ダウンリンクポート１３２７及びアップリンクポート１３２８が含まれうる。いくつかの実施形態では、ダイバーシティ接続を扱うための追加のアップリンクポートが存在することがある。物理ノードポート（例えば、ダウンリンク出力ポート１３２７及びアップリンク出力ポート１３２８）は、１つ又は複数のアンテナ（例えば、ＲＦアンテナ）に接続することができ、それにより、信号の、例えば、モバイルワイヤレス装置からの受信及び／又はモバイルワイヤレス装置への送信ができるようになる。
【００８９】
遠隔ルータ１３０５は、１つ又は複数の第２のエンドポート１３３５を備えることができ、第２のエンドポート１３３５は、ＤＲＵ１３００を１つ又は複数のＤＡＵ又はＤＲＵに結合することができる。第２のエンドポート１３３５は、光ファイバを介してＤＲＵ１３００を１つ又は複数のＤＡＵ又はＤＲＵに（例えば、物理的に）結合することができる、ＬＡＮ又はＰＥＥＲポートを含むことができる。
【００９０】
図５〜１０に示した具体的ステップが本発明の実施形態による特定の方法を示していることは理解されよう。他の系列のステップが代替実施形態に従って実行されてもよい。例えば、本発明の代替実施形態は、異なる順序で上記に概説したステップを実行することができる。さらに、図５〜１０の個々のステップは、個々のステップに見合った様々な順序で実行されうる複数のサブステップを含むことができる。さらに、特定の用途に応じて、さらにステップが追加又は除去されてもよい。当業者には、多くの変形、修正、及び代替形態が認識されよう。
【００９１】
図１４は、複数のＤＡＵ及び複数のＤＲＵを備えるＤＡＳネットワークを示す。ローカルルータは、デイジーチェーン構成で示されている。遠隔ルータは、スター及びデイジーチェーン構成で示されている。ＤＡＵ内のローカルルータはピアポートを介して相互接続されている。ローカルルータは、光又は銅接続を介してＤＲＵにおける遠隔ルータに接続することができる。ＤＲＵ内の遠隔ルータは、デイジーチェーン構成で他のＤＲＵと接続することができ、又はスター構成によってローカルルータと接続することができる。ＤＡＵ内のピアポートは、ローカルルータのＤＡＵに接続された物理ノードと遠隔ルータのＤＲＵに接続された物理ノードとの間に直接の接続が存在しないときに使用される。ＤＲＵにおけるピアポートは、２つ以上のＤＲＵの間のデイジーチェーン接続のために使用される。
【００９２】
図１５は、ダウンリンク（１５００）及びアップリンク（１５０１）のデータストリームを、ＤＡＵ間、ＤＲＵ間、及びＤＡＵとＤＲＵの間の移送のためにどのように直列化できるかを示す。一実施形態では、データは、ＣＰＲＩなどのプロトコルを使用して流される。
【００９３】
図１６は、ローカルルータの一実施形態の詳細を提示する。ローカルルータは、外部ダウンリンク及びアップリンクポートを備える。ローカルルータはまた、ＬＡＮポート及びピアポートを備える。ＬＡＮポートは、ネットワーク上のＤＲＵと接続するために使用される。ピアポートは、ネットワーク上の他のＤＡＵと接続するために使用される。ローカルルータダウンリンクテーブルは、入力と出力の間のデータトラフィックのルーティングを確立するために使用される。黒く塗りつぶされた四角は、ルーティング経路を示す。例として、図１６では、外部ダウンリンク入力ポート１Ｄが、併合ブロックαの併合（ＭＥＲＧＥ）入力１にルーティングされ、ピアポート１入力が、併合ブロックαの併合入力２にルーティングされる。ブロックαの併合ポート出力は、ＬＡＮポート１ストリームＡＡに送信される。
【００９４】
図１６は、５つの併合ブロック及び５つのストリームがある一実施形態を示している。ローカルルータテーブルは、ＤＡＵ及びＤＲＵの所与のネットワークについて構成される。ルータテーブルは、外部ＤポートとＬＡＮ／ピアポートとの間のダウンリンク信号のルーティングを示す。テーブルは、追加の併合ブロック、追加の外部入力、追加のＬＡＮポート、及び追加のピアポートに容易に拡張することができる。併合ブロックが複数の入力を有することもできる。テーブルは、１つの行内に複数の黒く塗りつぶされた四角を有することができるが、１つの列内に黒く塗りつぶされた四角を１つしか持つことができない。
【００９５】
図１７は、ローカルルータの一実施形態の詳細を提示する。ローカルルータは、外部ダウンリンク及びアップリンクポートを備える。ローカルルータはまた、ＬＡＮポート及びピアポートを備える。ＬＡＮポートは、ネットワーク上のＤＲＵと接続するために使用される。ピアポートは、ネットワーク上の他のＤＡＵと接続するために使用される。ローカルルータアップリンクテーブルは、入力と出力の間のデータトラフィックのルーティングを確立するために使用される。黒く塗りつぶされた四角は、ルーティング経路を示す。例として、図１７では、ストリームＡＡのＬＡＮポート１入力が、併合ブロックαの併合入力１にルーティングされる。ストリームＡＡのピアポート１入力が、併合ブロックαの併合入力２にルーティングされる。併合ブロックαの出力は、外部ポート１Ｕにルーティングされる。
【００９６】
図１７は、アップリンク信号のためのローカルルータテーブルの実施形態を示す。ローカルルータテーブルは、ＤＡＵ及びＤＲＵの所与のネットワークについて構成される。ルータテーブルは、ＬＡＮ／ピアポートと外部Ｕポートとの間のアップリンク信号のルーティングを示す。図１７は、５つの併合ブロック及び５つのストリームがある一実施形態を示している。テーブルは、追加の併合ブロック、追加の外部入力、追加のＬＡＮポート、及び追加のピアポートに容易に拡張することができる。併合ブロックが複数の入力を有することもできる。テーブルは、１つの列内に複数の黒く塗りつぶされた四角を有することができるが、１つの行内に黒く塗りつぶされた四角を１つしか持つことができない。
【００９７】
図１８は、遠隔ルータの一実施形態の詳細を提示する。遠隔ルータは、外部ダウンリンク及びアップリンクポートを備える。遠隔ルータはまた、ＬＡＮポート及びピアポートを備える。ＬＡＮポートは、ネットワーク上のＤＡＵと接続するために使用される。ピアポートは、ネットワーク上の他のＤＲＵと接続するために使用される。遠隔ルータアップリンクテーブルは、入力と出力の間のデータトラフィックのルーティングを確立するために使用される。黒く塗りつぶされた四角は、ルーティング経路を示す。例として、図１８では、ストリームＡＡのＬＡＮポート１入力が、併合ブロックαの併合入力１にルーティングされる。ストリームＡＡのピアポート１入力が、併合ブロックαの併合入力２にルーティングされる。併合ブロックαの出力は、外部ポート１Ｄにルーティングされる。
【００９８】
図１８は、５つの併合ブロック及び５つのストリームがある一実施形態を示している。テーブルは、追加の併合ブロック、追加の外部入力、追加のＬＡＮポート、及び追加のピアポートに容易に拡張することができる。併合ブロックが複数の入力を有することもできる。テーブルは、１つの列内に複数の黒く塗りつぶされた四角を有することができるが、１つの行内に黒く塗りつぶされた四角を１つしか持つことができない。
【００９９】
図１８は、ダウンリンク信号のための遠隔ルータテーブルの実施形態を示す。遠隔ルータテーブルは、ＤＡＵ及びＤＲＵの所与のネットワークについて構成される。ルータテーブルは、ＬＡＮ／ピアポートと外部Ｄポートとの間のダウンリンク信号のルーティングを示す。
【０１００】
図１９は、遠隔ルータの一実施形態の詳細を提示する。図１９は、アップリンク信号のための遠隔ルータテーブルの実施形態を示す。遠隔ルータテーブルは、ＤＡＵ及びＤＲＵの所与のネットワークについて構成される。ルータテーブルは、外部ＵポートとＬＡＮ／ピアポートとの間のアップリンク信号のルーティングを示す。遠隔ルータは、外部ダウンリンク及びアップリンクポートを備える。遠隔ルータは、ＬＡＮポート及びピアポートも備える。ＬＡＮポートは、ネットワーク上のＤＡＵと接続するために使用される。ピアポートは、ネットワーク上の他のＤＲＵと接続するために使用される。遠隔ルータアップリンクテーブルは、入力と出力の間のデータトラフィックのルーティングを確立するために使用される。黒く塗りつぶされた四角は、ルーティング経路を示す。例として、図１９では、外部アップリンク入力ポート１Ｕは、併合ブロックαの併合入力１にルーティングされ、ピアポート１入力は、併合ブロックαの併合入力２にルーティングされる。ブロックαの併合ポート出力は、ＬＡＮポート１ストリームＡＡに送信される。
【０１０１】
図１９は、５つの併合ブロック及び５つのストリームがある一実施形態を示している。テーブルは、追加の併合ブロック、追加の外部入力、追加のＬＡＮポート、及び追加のピアポートに容易に拡張することができる。併合ブロックが複数の入力を有することもできる。テーブルは、１つの行内に複数の黒く塗りつぶされた四角を有することができるが、１つの列内に黒く塗りつぶされた四角を１つしか持つことができない。
【０１０２】
図２０は、ネットワークの一実施形態によるトラフィックのルーティングのいくつかの例を提示する。表では、動作コードがローカルルータ及び遠隔ルータを構成するために使用される。図２１は、ＤＡＵ及びＤＲＵのネットワーク上でダウンリンク信号をルーティングする３つの例を示す。表は、ルータテーブルのそれぞれを設定するために使用されうる動作コードの実施形態を示す。
【０１０３】
表１では、ローカルルータＡの外部ポート１Ｄにおけるダウンリンクデータ入力Ｓ１は、遠隔ルータＭの外部ポート１Ｄにルーティングされる。ＬＡＮポート１は、ローカルルータＡと遠隔ルータＭの間でデータを流すために使用される。
【０１０４】
表２では、ローカルルータＡの外部ポート２Ｄにおけるダウンリンクデータ入力Ｓ２は、遠隔ルータＰの外部ポート２Ｄにルーティングされる。ローカルルータＡのピアポートＭは、ダウンリンク信号Ｓ２をローカルルータＢのピアポート１へ流すために使用される。ＬＡＮポート３のストリームＢＢは、遠隔ルータＰのＬＡＮポートと通信するために使用される。ＬＡＮポート１ストリームＢＢの入力は、遠隔ルータＰにおける外部ポート２Ｄにルーティングされる。
【０１０５】
表３では、ローカルルータＡの外部ポート１Ｄにおけるダウンリンクデータが、ピアポートＭストリームＡＡにルーティングされる。ローカルルータＡのピアポートＭのストリームＡＡからの出力が、ローカルルータＢのピアポート１に入力される。ローカルルータＢのピアポート１のストリームＡＡが併合ブロックαの入力１に送信される。ローカルルータＢの外部ポート１Ｄにおけるダウンリンクデータが、併合ブロックαの入力２にルーティングされる。併合ブロックαの出力が、ローカルルータＢのＬＡＮポート２のストリームＡＡにルーティングされる。ローカルルータＢのＬＡＮポート２が、データを遠隔ルータＯのＬＡＮポート１に移送する。遠隔ルータＯのＬＡＮポート２からの入力が、外部ポート１Ｄにルーティングされる。
【０１０６】
図２１は、ネットワークの一実施形態によるトラフィックのルーティングのいくつかの例を提示する。表では、動作コードがローカルルータ及び遠隔ルータを構成するために使用される。図２２は、ＤＡＵ及びＤＲＵのネットワーク上でアップリンク信号をルーティングする３つの例を示す。表は、ルータテーブルのそれぞれを設定するために使用されうる動作コードの実施形態を示す。
【０１０７】
表１では、遠隔ルータＯの外部ポート１Ｕにおけるアップリンクデータ入力Ｓ３は、ＬＡＮポート１にルーティングされる。遠隔ルータＯのＬＡＮポート１のストリームＡＡは、遠隔ルータＯのＬＡＮポート１のストリームＡＡとローカルルータＢのＬＡＮポート２のストリームＡＡとの間でデータを流すために使用される。ローカルルータＢのＬＡＮポート２のストリームＡＡの入力は、外部ポート１Ｕにルーティングされる。
【０１０８】
表２では、遠隔ルータＰの外部ポート２Ｕにおけるアップリンクデータ入力Ｓ４は、遠隔ルータＰのＬＡＮポート１のストリームＢＢにルーティングされる。遠隔ルータＰのＬＡＮポート１のストリームＢＢは、アップリンク信号Ｓ４をローカルルータＢのＬＡＮポート３のストリームＢＢに流すために使用される。ＬＡＮポート３のストリームＢＢは、ローカルルータＢのピアポート１のストリームＢＢにルーティングされる。ローカルルータＢのピアポート１のストリームＢＢは、データをローカルルータＡのＬＡＮポートＭのストリームＢＢに移送する。ピアポート１ストリームＢＢの入力は、ローカルルータＡにおける外部ポート２Ｕにルーティングされる。
【０１０９】
表３では、遠隔ルータＮの外部ポート１Ｕにおけるアップリンクデータ入力Ｓ２が、遠隔ルータＮのピアポート１のストリームＡＡにルーティングされる。遠隔ルータＮのピアポート１のストリームＡＡからの出力は、遠隔ルータＭのピアポートＭに入力される。遠隔ルータＭのピアポートＭのストリームＡＡは、併合ブロックαの入力１に送信される。遠隔ルータＭの外部ポート１Ｕにおけるアップリンクデータ入力Ｓ１は、併合ブロックαの入力２にルーティングされる。併合ブロックαの出力は、遠隔ルータＭのＬＡＮポート１のストリームＡＡにルーティングされる。遠隔ルータＭのＬＡＮポート１は、データをローカルルータＡのＬＡＮポート１に移送する。ローカルルータＡのＬＡＮポートからの入力データは、ローカルルータＡの外部ポート１Ｕにルーティングされる。
【０１１０】
図５〜１０で示し又は他で説明した方法は、様々な装置又は構成要素によって実施することができる。例えば、いくつかのプロセスは、１つ又は複数のＤＡＵによって単独で又は部分的に実行することができる。いくつかのプロセスは、例えば、１つ又は複数のＤＡＵに結合された、遠隔コンピュータによって単独で又は部分的に実行することができる。いくつかのプロセスは、１つ又は複数のＤＲＵによって実行することができる。いくつかの実施形態では、示し又は説明したプロセスは、複数の装置又は構成要素によって（例えば、複数のＤＡＵによって、１つのＤＡＵ及び遠隔サーバによって、１つ又は複数のＤＲＵ及び１つのＤＡＵによって）実行することができる。
【０１１１】
上述の実施形態は、例えば、分散型基地局、分散型アンテナシステム、分散型中継器、モバイル機器及びワイヤレス端末、携帯ワイヤレス装置、及び／又は、マイクロ波通信及び衛星通信など他のワイヤレス通信システムを用いて実装することができる。多くの変形形態が可能である。例えば、単一の基地局を備える実施形態が、複数の相互接続された基地局を備えるシステムにおいて適用されてもよい。実施形態は、デイジーチェーン構成をスター構成と置き換えるように又はその逆に修正されてもよい。（例えば、複数のＤＡＵに接続された）単一のサーバを示している実施形態が、（例えば、それぞれが異なるＤＡＵに接続された又はすべてのＤＡＵに接続された）複数のサーバを備えるように修正されてもよい。
【０１１２】
本明細書の実施形態は、複数の基地局セクタにわたる負荷の平衡を可能にする。そして、限りある基地局資源を複数の地理的領域にわたって繰り返し再分配して、広い領域にカバレッジを効率的にもたらすことができる。負荷平衡はまた、少数のセル内に多くのワイヤレスユーザが集まった（例えば、多数のユーザが昼食時間に企業の食堂に集中する、又はユーザがラッシュ時間に幹線道路に集中する）とき、過負荷及び過剰な資源要求から基地局セクタを保護することができる。
【０１１３】
図２２は、本明細書に記載の方法の任意の１つ又は複数を実施するための命令を含むコンピュータシステム２２００を示す高レベル概略図である。上記の構成要素の１つ又は複数（例えば、ＤＡＵ１１５、ＤＲＵ１２０、サーバ１３０、サーバ１２２５、コンピュータ１３２０など）は、コンピュータシステム２２００の一部又は全部を含むことができる。システム２２００はまた、本明細書に記載の１つ又は複数の方法の全部又は一部を実施することができる。図２２は、必要に応じて任意の一部又は全部を利用できる様々な構成要素の一般的例示を提示することを意図しているにすぎない。したがって、図２２は、個別のシステム要素が比較的分離された又は比較的統合された形でどのように実装されうるかを概略的に例示している。
【０１１４】
コンピュータシステム２２００は、バス２２０５を介して電気的に結合されうる（又はそうでなければ必要に応じて通信状態にされうる）ハードウェア要素を備えるものとして示されている。ハードウェア要素には、１つ又は複数の汎用プロセッサ、及び／又は１つ又は複数の専用プロセッサ（例えば、デジタル信号処理チップ及び／又はグラフィックス高速化プロセッサなど）を非限定的に含む１つ又は複数のプロセッサ２２１０、マウス及び／又はキーボードなどを非限定的に含むことができる１つ又は複数の入力装置２２１５、並びに、表示装置及び／又はプリンタなどを非限定的に含むことができる１つ又は複数の出力装置２２００が含まれうる。
【０１１５】
コンピュータシステム２２００は、１つ又は複数の記憶装置２２２５をさらに備える（且つ／又は記憶装置２２２５と通信状態である）ことができ、記憶装置２２２５は、ローカル及び／又はネットワークアクセス可能ストレージを非限定的に含むことができ、及び／又は、ディスクドライブ、ドライブアレイ、光記憶装置、並びにプログラム可能及び／又はフラッシュ更新可能などでありうるランダムアクセスメモリ（「ＲＡＭ」）及び／又は読取専用メモリ（「ＲＯＭ」）のような固体記憶装置を非限定的に含むことができる。そのような記憶装置は、様々なファイルシステム及び／又はデータベース構造などを非限定的に含む任意の適切なデータストアを実装するように構成することができる。
【０１１６】
コンピュータシステム２２００はまた、通信サブシステム２２３０を備えてもよく、通信サブシステム２２３０は、モデム、ネットワークカード（無線又は有線）、赤外線通信装置、ワイヤレス通信装置、及び／又はチップセット（例えば、ブルートゥース（Ｂｌｕｅｔｏｏｔｈ）（登録商標）装置、８０２．１１装置、ＷｉＦｉ装置、ＷｉＭａｘ装置、セルラ通信機構など）などを非限定的に含むことができる。通信サービス２２３０は、（以下で一例として挙げて説明するネットワークのような）ネットワーク、他のコンピュータシステム、及び／又は本明細書に記載の他の任意の装置とデータが交換されることを可能にできる。多くの実施形態では、コンピュータシステム２２００は、上述のようにＲＡＭ又はＲＯＭを含むことができるワーキングメモリ２２３５をさらに備えるであろう。
【０１１７】
コンピュータシステム２２００はまた、ワーキングメモリ２２３５内に現在位置するものとして示されるソフトウェア要素を備えることができ、ソフトウェア要素は、オペレーティングシステム２２４０、デバイスドライバ、実行可能ライブラリ、及び／又は、１つ又は複数のアプリケーションプログラム２２４５など他のコードを含み、アプリケーションプログラム２２４５は、様々な実施形態によって実現されるコンピュータプログラムを含むことができ、且つ／又は、本明細書に記載のように他の実施形態によって実現される方法を実装し、且つ／又はかかる実施形態によって実現されるシステムを構成するように設計さされうる。単に例として、上述の方法（複数可）に関して説明した１つ又は複数の手順が、コンピュータ（及び／若しくはコンピュータ内のプロセッサ）によって実行可能なコード並びに／又は命令として実装されてもよく、そして、一態様では、そのようなコード及び／又は命令は、上述の方法に従って１つ又は複数の動作を実行するように汎用コンピュータ（又は他の装置）を構成する且つ／又は適合させるように使用されうる。
【０１１８】
これらの命令及び／又はコードのセットは、上述の記憶装置（複数可）２２２５のようなコンピュータ可読記憶媒体に格納されてもよい。いくつかの場合、記憶媒体は、システム２２００のようなコンピュータシステム内に組み込まれてもよい。他の実施形態では、記憶媒体は、コンピュータシステムとは別個（例えば、コンパクトディスクのような取外し可能ディスク）とされ、且つ／又はインストールパッケージで提供されてもよく、記憶媒体は、命令／コードを格納した汎用コンピュータをプログラムする、構成する、且つ／又は適合させるために使用できるようにされる。これらの命令は、コンピュータシステム２２００によって実行できる実行可能コードの形態をとることができ、且つ／又は、ソース及び／又はインストール可能コードの形態をとり、（例えば、一般に入手可能なコンパイラ、インストールプログラム、圧縮／解凍ユーティリティなどの種々の任意のものを使用して）コンピュータシステム２２００上にコンパイル及び／又はインストールされた後に実行可能コードの形態をとることができる。
【０１１９】
個々の要件に応じて多くの変形がされうることは当業者には理解されよう。例えば、カスタマイズされたハードウェアが使用されてもよく、且つ／又は、特定の要素が、ハードウェア若しくは（アプレットなどの移植性を有するソフトウェアを含む）ソフトウェア又は両方で実装されてもよい。さらに、ネットワーク入力／出力装置など他のコンピューティング装置への接続が利用されてもよい。
【０１２０】
上述のように、一態様において、いくつかの実施形態では、（コンピュータシステム２２００などの）コンピュータシステムを用いて、本発明の様々な実施形態による方法を実施することができる。一連の実施形態では、そのような方法の手順の一部又はすべては、ワーキングメモリ２２３５に含まれる（オペレーティングシステム２２４０及び／又はアプリケーションプログラム２２４５のような他のコードに組み込まれうる）１つ又は複数の命令の１つ又は複数の系列をプロセッサ２２１０が実行することに応答して、コンピュータシステム２２００によって実施される。そのような命令は、記憶装置（複数可）２２２５の１つ又は複数のような別のコンピュータ可読媒体から、ワーキングメモリ２２３５に読み込まれてもよい。単に例として、ワーキングメモリ２２３５に含まれる命令の系列の実行により、プロセッサ（複数可）２２１０に、本明細書に記載の方法の１つ又は複数の手順を実行させることができる。
【０１２１】
本明細書で使用される用語「機械可読媒体」及び「コンピュータ可読媒体」は、機械を特定の様式で動作させるデータを提供することに加担する任意の媒体を指す。コンピュータ可読媒体及び記憶媒体は、一時的な伝播信号を意味しない。コンピュータシステム２２００を使用して実装される実施形態では、様々なコンピュータ可読媒体が、実行のために命令／コードをプロセッサ（複数可）２２１０に提供することに関与する、且つ／又は、そのような命令／コードを格納するために使用されることがある。多くの実装形態では、コンピュータ可読媒体は、物理的な且つ／又は有形の記憶媒体である。そのような媒体は、不揮発性媒体又は揮発性媒体の形態をとることができる。不揮発性媒体には、例えば、記憶装置（複数可）２２２５のような光及び／又は磁気ディスクが含まれる。揮発性媒体は、ワーキングメモリ２２３５のような動的メモリを非限定的に含む。
【０１２２】
物理的な且つ／又は有形のコンピュータ可読媒体の一般的形態には、例えば、フロッピーディスク（登録商標）、フレキシブルディスク、ハードディスク、磁気テープ、又は他の任意の磁気媒体、ＣＤ−ＲＯＭ又は他の任意の光媒体、パンチカード、紙テープ、穴のパターンを有する他の物理媒体、ＲＡＭ、ＰＲＯＭ，ＥＰＲＯＭ、フラッシュＥＰＲＯＭ、他の任意のメモリチップ若しくはカートリッジなどが含まれる。
【０１２３】
本明細書に記載の実施形態は、任意のプログラム可能装置、ハードウェア、又はソフトウェアとハードウェアの組み合わせにインストールされたソフトウェアを含む動作環境で実装することができる。特定の例示的実施形態を参照して実施形態を説明したが、本発明の広範な趣旨及び範囲から逸脱することなく、これらの実施形態に様々な修正及び変更を行うことが可能なことは明白であろう。したがって、本明細書及び図面は、限定的意味ではなく例示として捉えられるべきである。
【０１２４】
また、本明細書に記載の例及び実施形態は、単に例示が目的であり、様々な修正及び変更が、それらを考慮して当業者に示唆され、本出願の趣旨及び範囲並びに添付の特許請求の範囲内に含まれるものであることを理解されたい。
【０１２５】
付録Ｉは、頭字語を含む本明細書で使用される用語の用語集である。
付録Ｉ
用語集
ＡＣＬＲ  隣接チャネル漏洩比
ＡＣＰＲ  隣接チャネル電力比
ＡＤＣ  アナログ−デジタル変換器
ＡＱＤＭ  アナログ直交復調器
ＡＱＭ  アナログ直交変調器
ＡＱＤＭＣ  アナログ直交復調器コレクタ
ＡＱＭＣ  アナログ直交変調器コレクタ
ＢＰＦ  バンドパスフィルタ
ＣＤＭＡ  符号分割多元接続
ＣＦＲ  波高率低減
ＤＡＣ  デジタル−アナログ変換器
ＤＥＴ  検出器
ＤＨＭＰＡ  デジタルハイブリッドモード電力増幅器
ＤＤＣ  デジタルダウンコンバータ
ＤＮＣ  ダウンコンバータ
ＤＰＡ  ドハティ電力増幅器
ＤＱＤＭ  デジタル直交復調器
ＤＱＭ  デジタル直交変調器
ＤＳＰ  デジタル信号処理
ＤＵＣ  デジタルアップコンバータ
ＥＥＦ  エンベロープ除去及び復元
ＥＦ  エンベロープ追従
ＥＴ  エンベロープ追跡
ＥＶＭ  エラーベクトル振幅
ＦＦＬＰＡ  フィードフォワード線形電力増幅器
ＦＩＲ  有限インパルス応答
ＦＰＧＡ  フィールドプログラマブルゲートアレイ
ＧＳＭ  移動体通信用グローバルシステム
Ｉ−Ｑ  同相／直交
ＩＦ  中間周波数
ＬＩＮＣ  非線形構成使用の線形増幅
ＬＯ  局部発振器
ＬＰＦ  ローパスフィルタ
ＭＣＰＡ  マルチキャリア電力増幅器
ＭＤＳ  多方向性探索
ＯＦＤＭ  直交周波数分割多重化
ＰＡ  電力増幅器
ＰＡＰＲ  ピーク対平均電力比
ＰＤ  デジタルベースバンド予歪
ＰＬＬ  位相ロックループ
ＱＡＭ  直交振幅変調
ＱＰＳＫ  ４位相偏移変調
ＲＦ  無線周波数
ＲＲＨ  遠隔無線ヘッド
ＲＲＵ  遠隔無線ヘッドユニット
ＳＡＷ  表面弾性波フィルタ
ＵＭＴＳ  ユニバーサル移動体通信システム
ＵＰＣ  アップコンバータ
ＷＣＤＭＡ  広帯域符号分割多元接続
ＷＬＡＮ  無線ローカルエリアネットワーク
【図１】
2014534783.tif 000003
【図２】
2014534783.tif 000004
【図３】
2014534783.tif 000005
【図４】
2014534783.tif 000006
【図５】
2014534783.tif 000007
【図６】
2014534783.tif 000008
【図７】
2014534783.tif 000009
【図８】
2014534783.tif 000010
【図９】
2014534783.tif 000011
【図１０】
2014534783.tif 000012
【図１１】
2014534783.tif 000013
【図１２】
2014534783.tif 000014
【図１３】
2014534783.tif 000015
【図１４】
2014534783.tif 000016
【図１５】
2014534783.tif 000017
【図１６】
2014534783.tif 000018
【図１７】
2014534783.tif 000019
【図１８】
2014534783.tif 000020
【図１９】
2014534783.tif 000021
【図２０】
2014534783.tif 000022
【図２１】
2014534783.tif 000023
【図２２】
2014534783.tif 000024
【国際調査報告】
2014534783.tif 000025